(57)【要約】グループスケジューリングの再送シグナリングにおいて、シグナリングリソースの浪費を抑えることができる無線通信基地局装置。この装置において、多重部（１０１）は、初回送信用の複数のグループに属する複数の端末各々へのＡＣＫ信号またはＮＡＣＫ信号を多重してＡＣＫ／ＮＡＣＫ多重信号を生成し、多重部（１０２）は、初回送信用の複数のグループと関連付けられた１つの再送用グループのグループＩＤと、複数の初回送信の端末のうちの一部の再送端末に対する制御情報と、多重部（１０１）で生成されたＡＣＫ／ＮＡＣＫ多重信号とを多重して制御情報多重信号を生成し、マッピング部（１０７）は、多重部（１０２）で生成された制御情報多重信号をＰＤＣＣＨにマッピングし、無線送信部（１１０）は、ＰＤＣＣＨにマッピングされた制御情報多重信号を、送信アンテナ（１１１）を介して送信する。
2008114510.tif 000002
【特許請求の範囲】
【請求項１】
初回送信用の複数のグループに属する複数の端末各々へのＡＣＫ信号またはＮＡＣＫ信号を多重してＡＣＫ／ＮＡＣＫ多重信号を生成する第１多重手段と、
前記複数のグループと関連付けられた１つの再送用グループのグループＩＤと、前記複数の端末のうちの一部の再送端末に対する制御情報と、を多重して制御情報多重信号を生成する第２多重手段と、
前記ＡＣＫ／ＮＡＣＫ多重信号および前記制御情報多重信号を送信する送信手段と、
を具備する無線通信基地局装置。
【請求項２】
前記第２多重手段は、
前記ＡＣＫ／ＮＡＣＫ多重信号と前記制御情報多重信号とをさらに多重し、
前記送信手段は、
前記ＡＣＫ／ＮＡＣＫ多重信号および前記制御情報多重信号を同一ＴＴＩで送信する、
請求項１記載の無線通信基地局装置。
【請求項３】
前記送信手段は、
前記ＡＣＫ／ＮＡＣＫ多重信号と前記制御情報多重信号とを互いに異なる制御チャネルで送信する、
請求項１記載の無線通信基地局装置。
【請求項４】
前記第２多重手段は、
前記複数のグループの複数のグループＩＤの共通部分からなる前記再送用グループのグループＩＤを多重する、
請求項１記載の無線通信基地局装置。
【請求項５】
前記再送端末の数が所定の閾値より小さいか否かを判定する判定手段を、さらに具備し、
前記第２多重手段は、
前記判定手段において前記再送端末の数が所定の閾値より小さいと判定した場合に、前記複数のグループと関連付けられた１つの再送用グループのグループＩＤと、前記複数の端末のうちの一部の再送端末に対する制御情報と、を多重して制御情報多重信号を生成する、
請求項１記載の無線通信基地局装置。
【請求項６】
初回送信用の複数のグループに属する複数の端末各々へのＡＣＫ信号またはＮＡＣＫ信号を多重してＡＣＫ／ＮＡＣＫ多重信号を生成するステップと、
前記複数のグループと関連付けられた１つの再送用グループのグループＩＤと、前記複数の端末のうちの一部の再送端末に対する制御情報と、を多重して制御情報多重信号を生成するステップと、
前記ＡＣＫ／ＮＡＣＫ多重信号および前記制御情報多重信号を送信するステップと、
を具備する無線通信方法。
【発明の詳細な説明】
【技術分野】
【０００１】  本発明は、無線通信基地局装置および無線通信方法に関する。
【背景技術】
【０００２】  現在、３ＧＰＰ  ＲＡＮ  ＬＴＥ（Ｌｏｎｇ  Ｔｅｒｍ  Ｅｖｏｌｕｔｉｏｎ）では、スケジューリング時のシグナリングオーバヘッドの低減を目的として、Ｌ１／Ｌ２コントロールシグナリングの最適化方法が検討されている。【０００３】  前記Ｌ１／Ｌ２コントロールシグナリングの最適化方法の１つとして、グループシグナリングが提案されている（例えば、非特許文献１参照）。図１は、グループシグナリングを説明するための図である。グループシグナリングでは、複数のＵＥ（Ｕｓｅｒ  Ｅｑｕｉｐｍｅｎｔ）それぞれの初回送信用のＬ１／Ｌ２制御信号を１つのグループにまとめて送信する。すなわち、ＢＳ（Ｂａｓｅ  Ｓｔａｔｉｏｎ）は、複数ＵＥのＬ１／Ｌ２制御信号と、この複数のＵＥが属するグループＩＤとを１つの送信時間間隔（ＴＴＩ：Ｔｒａｎｓｍｉｓｓｉｏｎ  Ｔｉｍｅ  Ｉｎｔｅｒｖａｌ）に多重して、初回送信用ＰＤＣＣＨ（Ｐｈｙｓｉｃａｌ  Ｄｏｗｎｌｉｎｋ  Ｃｏｎｔｒｏｌ  Ｃｈａｎｎｅｌ）で送信することによりシグナリングを行う。ここで、ＰＤＣＣＨは制御信号の一送信単位を示すこととする。すなわち、１グループに対して送信される制御信号を示す。また、ここでＬ１／Ｌ２制御信号としては、パケット伝送に伴うデータ復調用制御信号と、再送制御信号とがある。前者は、周波数リソースおよび時間リソースの割り当て情報や、変調方式、符号化率、データサイズなどを通知するための信号であり、後者は、再送回数情報、ＨＡＲＱ処理番号（ＨＡＲＱ  ｐｒｏｃｅｓｓ  ｎｕｍｂｅｒ）、冗長度情報（ｒｅｄｕｎｄａｎｃｙ  ｖｅｒｓｉｏｎ）、バッファ消去情報（ｎｅｗ  ｄａｔａ  ｉｎｄｉｃａｔｏｒ）などを通知するための信号である。【０００４】  各ＵＥは、自端末が属するグループＩＤが送信されたか否かを待ち受け、該当グループＩＤを受信した場合に、予め定められている該当位置から自端末宛のＬ１／Ｌ２制御信号を抽出する。上記グループシグナリングにより、ＵＥ毎に付与されたＩＤを用いてシグナリングする方法に比べて、ＩＤの総数を低減することができるため、システムのシグナリングオーバヘッドを低減することができる。【０００５】  なお、上記のグループシグナリングにおいて、再送ＵＥに対するシグナリングを行う際には、初回送信シグナリングに用いたグループＩＤをそのまま用いる。図１に示すように、初回送信に誤りが発生し再送が必要なＵＥ、例えばＵＥ＃１およびＵＥ＃４に対しては、再送用のＬ１／Ｌ２制御信号を再送用ＴＴＩ内において初回送信時と同様な領域に多重して送信する。一方、初回送信が正常に行われたＵＥ、例えばＵＥ＃２およびＵＥ＃３に対しては、再送用のＬ１／Ｌ２制御信号を送信する必要がないため、再送用ＰＤＣＣＨ内においてＵＥ＃２およびＵＥ＃３の該当領域は「０」などの値で埋められる。ここで、再送用ＰＤＣＣＨ内において各ＵＥに対応する領域が「０」で埋められたか否かにより、各ＵＥに対するＡＣＫ（肯定応答）またはＮＡＣＫ（否定応答）のシグナリングを行う。
【非特許文献１】３ＧＰＰ  Ｒ２−０７００５５，Ｅｒｉｃｓｓｏｎ，“Ｓｃｈｅｄｕｌｉｎｇ  ｆｏｒ  ｍａｘｉｍｉｚｉｎｇ  ＶｏＩＰ  ｃａｐａｃｉｔｙ”，１５ｔｈ−１９ｔｈ  Ｊａｎｕａｒｙ  ２００７
【発明の開示】
【発明が解決しようとする課題】
【０００６】  しかしながら、非特許文献１記載の再送用のＬ１／Ｌ２制御信号のグループシグナリングは、シグナリングリソースの浪費を生じるという問題がある。図２は、非特許文献１記載のグループシグナリングにより生じるシグナリングリソースの浪費を説明するための図である。この図においては、ＵＥ＃１〜ＵＥ＃４をグループ＃Ａにグルーピングし、ＵＥ＃５〜ＵＥ＃８をグループ＃Ｂにグルーピングしてシグナリングを行い、ＵＥ＃１，ＵＥ＃４，ＵＥ＃５が再送ＵＥとなる場合を例示する。図２に示すように、再送されるグループ＃Ｂには、１つのＵＥ（ＵＥ＃５）のみの制御信号が多重されＵＥ＃６〜ＵＥ＃８の３つのＵＥに対応する領域が「０」で埋められる。すなわち、４つのＵＥに対応する領域のうち、４分の１だけの領域に制御信号が多重され、４分の３の領域が「０」で埋められるため、シグナリングリソースの浪費が生じる。【０００７】  本発明の目的は、グループシグナリングにおいて再送シグナリングのシグナリングリソースを節約することができる無線通信基地局装置および無線通信方法を提供することである。
【課題を解決するための手段】
【０００８】  本発明の無線通信基地局装置は、初回送信用の複数のグループに属する複数の端末各々へのＡＣＫ信号またはＮＡＣＫ信号を多重してＡＣＫ／ＮＡＣＫ多重信号を生成する第１多重手段と、前記複数のグループと関連付けられた１つの再送用グループのグループＩＤと、前記複数の端末のうちの一部の再送端末に対する制御情報と、を多重して制御情報多重信号を生成する第２多重手段と、前記ＡＣＫ／ＮＡＣＫ多重信号および前記制御情報多重信号を送信する送信手段とを具備する構成を採る。【０００９】  本発明の無線通信方法は、初回送信用の複数のグループに属する複数の端末各々へのＡＣＫ信号またはＮＡＣＫ信号を多重してＡＣＫ／ＮＡＣＫ多重信号を生成するステップと、前記複数のグループと関連付けられた１つの再送用グループのグループＩＤと、前記複数の端末のうちの一部の再送端末に対する制御情報と、を多重して制御情報多重信号を生成するステップと、前記ＡＣＫ／ＮＡＣＫ多重信号および前記制御情報多重信号を送信するステップとを有するようにした。
【発明の効果】
【００１０】  本発明によれば、グループシグナリングにおいて再送シグナリングのシグナリングリソースを節約することができる。
【図面の簡単な説明】
【００１１】
【図１】従来のグループシグナリングを説明するための図
【図２】従来のグループシグナリングにより生じるシグナリングリソースの浪費を説明するための図
【図３】本発明の実施の形態１に係る無線送信装置の構成を示すブロック図
【図４】本発明の実施の形態１に係る初回送信シグナリングの場合に多重部で得られる制御情報多重信号を示す図
【図５】本発明の実施の形態１に係る再送シグナリングの場合に多重部で得られる制御情報多重信号を示す図
【図６】本発明の実施の形態１に係る多重部で得られる制御情報多重信号をマッピング部によりＰＤＣＣＨにマッピングした結果を示す図
【図７】本発明の実施の形態１に係る無線送信装置において制御情報多重信号を生成する手順を示すフロー図
【図８】本発明の実施の形態１に係る無線受信装置の構成を示すブロック図
【図９】本発明の実施の形態１に係るシグナリング方法の机上計算結果として、再送率に応じて必要となるＰＤＣＣＨ数の平均値を示す図
【図１０】本発明の実施の形態１に係る再送用の新たなグループのグループＩＤとして、初回送信用の複数のグループＩＤの共通部分を用いる場合を示す図
【図１１】本発明の実施の形態１に係る再送シグナリング方法を用いて、８つの再送ＵＥをシグナリングする場合を例示する図
【図１２】本発明の実施の形態２に係る無線送信装置の構成を示すブロック図
【図１３】本発明の実施の形態２に係る再送シグナリングにおいて再送ＵＥの数が所定の閾値以上である場合に多重部で得られる制御情報多重信号を示す図
【図１４】本発明の実施の形態２に係る無線送信装置において制御情報多重信号を生成する手順を示すフロー図
【図１５】本発明の実施の形態２に係る無線受信装置の構成を示すブロック図
【図１６】本発明の実施の形態２に係るシグナリング方法の机上計算結果として、再送率に応じて必要となるＰＤＣＣＨ数の平均値を示す図
【図１７】本発明の実施の形態３に係る無線送信装置の構成を示すブロック図
【図１８】本発明の実施の形態３に係る再送シグナリングの場合に多重部で得られる制御情報多重信号を示す図
【図１９】本発明の実施の形態３に係る多重部で得られる制御情報多重信号をマッピング部によりＰＤＣＣＨにマッピングした結果を示す図
【図２０】本発明の実施の形態３に係る無線受信装置の構成を示すブロック図
【図２１】本発明の実施の形態３に係るシグナリング方法の机上計算結果として、再送率に応じて必要となるＰＤＣＣＨ数の平均値を示す図
【図２２】本発明に係る再送シグナリングにおける再送ＵＥ特定のための別の形態を示す図
【発明を実施するための最良の形態】
【００１２】  以下、本発明の実施の形態について、添付図面を参照して詳細に説明する。以下の説明では、無線送信装置としては無線通信基地局装置を想定し、無線受信装置としては８つのＵＥを想定する。また、アップリンクのパケット送信をスケジューリングするためにダウンリンクのＰＤＣＣＨにてＬ１／Ｌ２制御信号をグループシグナリングする場合を想定する。１グループあたりに４つのＵＥをグルーピングし、例えば初回送信シグナリングの場合には、ＵＥ＃１〜ＵＥ＃４をグループ＃Ａにグルーピングし、ＵＥ＃５〜ＵＥ＃８をグループ＃Ｂにグルーピングする。また、初回送信用と再送用の各ＵＥのＬ１／Ｌ２制御信号のサイズは同一である。【００１３】  （実施の形態１）
図３は、本発明の実施の形態１に係る無線送信装置１００の構成を示すブロック図である。【００１４】  多重部１０１は、再送シグナリングの場合のみに、予め定められた複数のグループに属するＵＥのＡＣＫ／ＮＡＣＫ信号をまとめてＡＣＫ／ＮＡＣＫ多重信号を生成する。具体的には、グループ＃Ａに属するＵＥ＃１〜ＵＥ＃４、および、グループ＃Ｂに属するＵＥ＃５〜ＵＥ＃８の８つのＵＥのＡＣＫ／ＮＡＣＫ信号を多重し、得られるＡＣＫ／ＮＡＣＫ多重信号を多重部１０２に出力する。【００１５】  多重部１０２は、初回送信シグナリングの場合には、初回送信用グループＩＤ、複数の初回送信ＵＥのＬ１／Ｌ２制御信号をグループ毎に多重し、再送シグナリングの場合には、再送用グループＩＤ、複数の再送ＵＥのＬ１／Ｌ２制御信号、および多重部１０１から入力されるＡＣＫ／ＮＡＣＫ多重信号を再送グループ毎に多重し、制御情報多重信号を生成する。多重部１０２は、得られる制御情報多重信号を符号化部１０３および符号化部１０４それぞれに１グループずつ出力する。例えば、初回送信シグナリングを行う場合には、グループ＃Ａに対応する制御情報多重信号を符号化部１０３に出力するとともに、グループ＃Ｂに対応する制御情報多重信号を符号化部１０４に出力する。【００１６】  符号化部１０３，１０４それぞれは、多重部１０２から入力される制御情報多重信号それぞれに対し、畳み込み符号化、あるいはターボ（Ｔｕｒｂｏ）符号化などの誤り訂正符号化を施し、得られる誤り訂正符号化信号を変調部１０５，１０６に出力する。【００１７】  変調部１０５，１０６それぞれは、符号化部１０３，１０４それぞれから入力される誤り訂正符号化信号に対し、ＰＳＫ変調（Ｐｈａｓｅ  Ｓｈｉｆｔ  Ｋｅｙｉｎｇ）またはＱＡＭ変調（Ｑｕａｄｒａｔｕｒｅ  Ａｍｐｌｉｔｕｄｅ  Ｍｏｄｕｌａｔｉｏｎ）などの変調処理を施し、得られる変調信号をマッピング部１０７に出力する。【００１８】  マッピング部１０７は、変調部１０５，１０６それぞれから入力される変調信号を同一のＴＴＩ上の各ＰＤＣＣＨにマッピングする。【００１９】  ＩＦＦＴ（Ｉｎｖｅｒｓｅ  Ｆａｓｔ  Ｆｏｕｒｉｅｒ  Ｔｒａｎｓｆｏｒｍ）部１０８は、ＰＤＣＣＨにマッピングされた信号に対しＩＦＦＴ処理を行い、得られる時間領域信号をＣＰ（Ｃｙｃｌｉｃ  Ｐｒｅｆｉｘ）付加部１０９に出力する。【００２０】  ＣＰ付加部１０９は、ＩＦＦＴ部１０８から入力される時間領域信号の後端部分をその時間領域信号の先頭に付加し、得られるＣＰ付加信号を無線送信部１１０に出力する。【００２１】  無線送信部１１０は、ＣＰ付加部１０９から入力されるＣＰ付加信号に対し、Ｄ／Ａ変換、増幅、およびアップコンバートなどの無線送信処理を行い、送信アンテナ１１１を介し送信する。【００２２】  図４は、初回送信シグナリングの場合に多重部１０２で得られる制御情報多重信号を示す図である。【００２３】  初回送信シグナリングにおいて、無線送信装置１００はＡＣＫ／ＮＡＣＫ信号を送信する必要がないため、多重部１０１はＡＣＫ／ＮＡＣＫ多重信号を生成しない。多重部１０２は、図４に示すように、制御情報多重信号の所定の位置にグループＩＤと、グループに属する４個のＵＥのＬ１／Ｌ２制御信号を配置する。これをグループ数分実施する。例えば、多重部１０２は、グループＩＤ「＃Ａ」、およびＵＥ＃１〜＃４のＬ１／Ｌ２制御信号を多重してグループ＃Ａに対応する制御情報多重信号を生成し、グループＩＤ「＃Ｂ」、およびＵＥ＃５〜＃８のＬ１／Ｌ２制御信号を多重してグループ＃Ｂに対応する制御情報多重信号を構成する。ここで、各ＵＥのＬ１／Ｌ２制御信号の多重位置は予め定められている。【００２４】  図５は、再送シグナリングの場合に多重部１０２で得られる制御情報多重信号を示す図である。図５においては、ＵＥ＃１、ＵＥ＃４、およびＵＥ＃５の３つのＵＥが再送ＵＥである場合を例示する。【００２５】  再送シグナリングの場合において、多重部１０１は８つのＵＥのＡＣＫ／ＮＡＣＫ信号を多重してＡＣＫ／ＮＡＣＫ多重信号を生成する。具体的には、ＡＣＫ／ＮＡＣＫ多重信号を構成する８ビットの各ビットを用いて、８つのＵＥのＡＣＫ／ＮＡＣＫ信号それぞれを示す。図５に示すように、ＵＥ＃１、ＵＥ＃４、ＵＥ＃５が再送ＵＥとなる場合、多重部１０１は「１００１１０００」というＡＣＫ／ＮＡＣＫ多重信号を生成する。ここで各ビットの「１」はＮＡＣＫを示し、「０」は「ＡＣＫ」を示す。従って、本例では、ＡＣＫ／ＮＡＣＫ多重信号の１，４，５ビット目の値が「１」であるため、再送ＵＥの番号は順次＃１，＃４，＃５となる。この構成のＡＣＫ／ＮＡＣＫ多重信号を用いて、各ＵＥは、再送されるＵＥの番号を検出することができ、さらに、グループＩＤ、ＡＣＫ／ＮＡＣＫ多重信号、および再送ＵＥのＬ１／Ｌ２制御信号からなる制御情報多重信号のどの位置に自端末該当のＬ１／Ｌ２制御信号が多重されているかを判別することができる。多重部１０１は、生成したＡＣＫ／ＮＡＣＫ多重信号を多重部１０２に出力する。【００２６】  再送シグナリングの場合において、多重部１０２はＵＥ＃１、ＵＥ＃４、およびＵＥ＃５の３つの再送ＵＥのＬ１／Ｌ２制御信号をグループ＃Ｃにグルーピングする。具体的には、多重部１０２は、図５に示すようにグループ＃ＣのグループＩＤを制御情報多重信号の先頭に配置し、その後ろに多重部１０１から入力されるＡＣＫ／ＮＡＣＫ多重信号、およびＵＥ＃１、ＵＥ＃４、ＵＥ＃５のＬ１／Ｌ２制御信号を順次配置する。ここで、グループ＃ＣのグループＩＤは、グループ＃Ａおよびグループ＃Ｂと関連付けられるものであるため、グループ＃ＣのグループＩＤを別途通知するためのシグナリングオーバヘッドを低減することができる。また、多重部１０１から入力されるＡＣＫ／ＮＡＣＫ多重信号の「１」の値となる各ビットの番号は、制御情報多重信号においてＡＣＫ／ＮＡＣＫ多重信号の後ろに配置される各Ｌ１／Ｌ２制御信号に対応する各再送ＵＥの番号を示す。本例では、ＡＣＫ／ＮＡＣＫ多重信号の１，４，５ビット目の値が「１」となるため、ＡＣＫ／ＮＡＣＫ多重信号の後ろに配置されるＬ１／Ｌ２制御信号は順次ＵＥ＃１、ＵＥ＃４、ＵＥ＃５に対応する。なお、制御情報多重信号におけるグループＩＤ、ＡＣＫ／ＮＡＣＫ多重信号、各ＵＥのＬ１／Ｌ２制御信号の配置場所は上記配置に限定されるものではなく、予め配置場所に関する情報を基地局とＵＥが共有していればどのような配置であっても良い。【００２７】  図６は、多重部１０２で得られる制御情報多重信号をマッピング部１０７によりＰＤＣＣＨにマッピングした結果を示す図である。【００２８】  図６に示すように、再送シグナリングの場合において多重部１０２は、再送ＵＥであるＵＥ＃１、ＵＥ＃４、ＵＥ＃５のＬ１／Ｌ２制御信号を１つのグループ＃Ｃにグルーピングするため、シグナリングリソースを節約することができ、初回送信ＵＥ、例えばＵＥ＃９〜＃１２のＬ１／Ｌ２制御信号をグループ＃Ｄにグルーピングしてグループ＃Ｃと同一のＴＴＩで送信することができるので、単位時間当たりの制御信号のユーザー収容数を向上できる。【００２９】  図７は、本実施の形態に係る無線送信装置１００において制御情報多重信号を生成する手順を示すフロー図である。【００３０】  まず、ステップ（以下、「ＳＴ」と記す）１０１０において、無線送信装置１００はシグナリング処理が初回送信シグナリングであるか、または再送シグナリングであるかを判定する。【００３１】  ＳＴ１０１０において、初回送信シグナリングであると判定された場合（ＳＴ１０１０：「ＹＥＳ」）には、ＳＴ１０２０において多重部１０２は、グループＩＤ、および各ＵＥのＬ１／Ｌ２制御信号を多重して制御情報多重信号を生成する。【００３２】  一方、ＳＴ１０１０において、再送シグナリングであると判定された場合（ＳＴ１０１０：「ＮＯ」）には、ＳＴ１０３０において多重部１０１は、再送ＵＥのＡＣＫ／ＮＡＣＫ信号を多重してＡＣＫ／ＮＡＣＫ多重信号を生成する。【００３３】  次いで、ＳＴ１０４０において、多重部１０２は、グループＩＤ、各ＵＥのＬ１／Ｌ２制御信号、および多重部１０１で生成されたＡＣＫ／ＮＡＣＫ多重信号を多重して、制御情報多重信号を生成する。【００３４】  図８は、本実施の形態に係る無線受信装置２００の構成を示すブロック図である。【００３５】  無線受信部２０２は、無線送信装置１００から送信された無線信号を、受信アンテナ２０１を介して受信し、ダウンコンバート、Ａ／Ｄ変換等の無線受信処理を施し、得られるデジタル信号をＣＰ除去部２０３に出力する。【００３６】  ＣＰ除去部２０３は、無線受信部２０２から入力されるデジタル信号の先頭に付加されたＣＰを除去し、得られるＣＰ除去信号をＦＦＴ（Ｆａｓｔ  Ｆｏｕｒｉｅｒ  Ｔｒａｎｓｆｏｒｍ）部２０４に出力する。【００３７】  ＦＦＴ部２０４は、ＣＰ除去部２０３から入力されるＣＰ除去信号に対してＦＦＴ処理を行い、得られる周波数領域信号を逆マッピング部２０５に出力する。【００３８】  逆マッピング部２０５は、ＦＦＴ部２０４から入力される周波数領域信号を各ＰＤＣＣＨ毎に分離し、得られる各ＰＤＣＣＨ信号を復調部２０６に出力する。【００３９】  復調部２０６は、逆マッピング部２０５から入力される各ＰＤＣＣＨ信号に対して復調処理を行い、得られる復調信号を復号部２０７に出力する。【００４０】  復号部２０７は、復調部２０６から入力される復調信号に対して、畳み込み復号、あるいはターボ復号等の誤り訂正を行い、得られる復号信号を識別部２０８および分離部２０９に出力する。【００４１】  識別部２０８は、復号部２０７から入力される��号信号の先頭に配置されているグループＩＤから自端末が属しているグループＩＤであるか否かを識別し、自端末が属しているグループＩＤである場合には、さらに復号部２０７から入力される復号信号が初回送信用か再送用かを識別し、識別結果を分離部２０９および位置判定部２１０に出力する。【００４２】  分離部２０９は、復号部２０７から入力される復号信号からグループＩＤを分離する。さらに、分離部２０９は、識別部２０８から入力される識別結果が再送用を示す場合には、復号信号からＡＣＫ／ＮＡＣＫ多重信号を分離し、得られるＡＣＫ／ＮＡＣＫ多重信号を位置判定部２１０に出力し、複数ＵＥのＬ１／Ｌ２制御信号を抽出部２１１に出力する。【００４３】  位置判定部２１０は、識別部２０８から入力される識別結果が初回送信用を示す場合には、分離部２０９からＡＣＫ／ＮＡＣＫ多重信号が入力されず、予め決められた自端末Ｌ１／Ｌ２制御信号の配置位置を抽出部２１１に出力する。また、位置判定部２１０は、識別部２０８から入力される識別結果が再送用を示す場合には、分離部２０９から入力されるＡＣＫ／ＮＡＣＫ多重信号の各ビットの値に基づき、複数ＵＥのＬ１／Ｌ２制御信号のうち自端末Ｌ１／Ｌ２制御信号の配置位置を判定し、得られる位置判定結果を抽出部２１１に出力する。【００４４】  抽出部２１１は、位置判定部２１０から入力される位置判定結果に基づき、分離部２０９から入力される複数ＵＥのＬ１／Ｌ２制御信号のうち、自端末Ｌ１／Ｌ２制御信号を抽出する。【００４５】  図９は、本実施の形態に係るシグナリング方法の机上計算結果として、再送率に応じて必要となるＰＤＣＣＨ数の平均値を示す図である。図９においては、比較のために非特許文献１に係るシグナリング方法の机上計算結果として、再送率に応じて必要となるＰＤＣＣＨ数の平均値も同時に示している。図９において、「▲」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。【００４６】  図９に示すように、７５％ぐらい以下の再送率においては、非特許文献１に係るＰＤＣＣＨ数の平均値よりも本実施の形態に係るＰＤＣＣＣＨ数の平均値がより低い。これは、非特許文献１に係るシグナリング方法では、複数の異なるグループでそれぞれ１ＵＥでも再送が発生した場合、グループ数分のＰＤＣＣＨが必要となるからである。一方、図９に示すように、７５％ぐらいより高い再送率においては、非特許文献１に係るＰＤＣＣＨ数の平均値よりも本実施の形態に係るＰＤＣＣＣＨ数の平均値がより高い。しかし、通常ＡＭＣ（Ａｄａｐｔｉｖｅ  Ｍｏｄｕｌａｔｉｏｎ  ａｎｄ  Ｃｏｄｉｎｇ）を実施するシステムの再送率は１０〜３０％に設定され、７５％以上の再送率を用いてシステムが運用されることはない。すなわち、非特許文献１に係るシグナリング方法よりも本実施の形態に係るシグナリング方法の方がシグナリングリソースを節約することができる。【００４７】  このように、本実施の形態によれば、無線送信装置は初回送信用の複数のグループに��する複数のＵＥ各々へのＡＣＫ信号またはＮＡＣＫ信号を多重してＡＣＫ／ＮＡＣＫ多重信号を生成し、初回送信用の複数のグループと関連付けられた１つの再送用グループのグループＩＤと、再送ＵＥのＬ１／Ｌ２制御信号と、ＡＣＫ／ＮＡＣＫ多重信号を多重して送信する。このため、再送シグナリングに用いるＰＤＣＣＨの数を削減し、節約されたＰＤＣＣＨを新たなＵＥの初回送信シグナリングに用いることができ、単位時間当たりの制御信号のユーザー収容数を向上できる。【００４８】  また、本実施の形態では複数の再送ＵＥを、初回送信用グループＩＤと異なる新たなグループＩＤを持つグループにまとめてシグナリングを行う場合を例にとって説明した。しかし、本発明はこれに限定されず、図１０に示すように、再送用の新たなグループのグループＩＤとして、初回送信用の複数のグループＩＤの共通部分を用いても良い。図１０においては、初回送信用グループ＃Ａ，＃ＢのグループＩＤとしてそれぞれ「０１００１００１０００１１１０１」および「０１００１００１０１１１００１０」を用い、再送用グループ＃ＣのグループＩＤとして「０１００１００１」を用いる場合を示している。ここで、再送用グループ＃ＣのグループＩＤ「０１００１００１」は、初回送信用グループ＃Ａ、＃ＢのグループＩＤ「０１００１００１０００１１１０１」および「０１００１００１０１１１００１０」それぞれの前の８ビットからなる。初回送信シグナリング時にグループ＃Ａ、＃Ｂに属していたＵＥは、再送用グループ＃Ｃを受信するとグループ＃ＣのグループＩＤと、グループ＃Ａ、＃ＢのグループＩＤとの関連性から自端末宛の再送制御信号であるか否かを判定することができる。図１０に示すように、グループ＃ＣのグループＩＤとして、グループ＃Ａ、＃ＢのグループＩＤの共通部分を用いると、グループ＃ＣのグループＩＤとして８ビットのみを用い、通常のグループＩＤよりも８ビットを節約することができる。【００４９】  また、ＡＣＫ／ＮＡＣＫ信号をグループＩＤおよび各ＵＥのＬ１／Ｌ２制御信号と同一のＰＤＣＣＨに多重することで、誤り訂正の処理情報ビット系列長が長くなるので、ＡＣＫ／ＮＡＣＫ信号を単独のＰＤＣＣＨとして送信する場合と比較して、誤り訂正能力が向上する。【００５０】  以上のように、本実施の形態１では、初回送信シグナリング時において複数の異なるグループにそれぞれ属している複数のＵＥを、再送シグナリング時にはまとめて同一グループとしてシグナリングする。ここで、ＵＥが再送用のシグナリングを受信する際に、自端末の属する再送用グループを識別できるように、再送用グループＩＤに複数の初回送信用グループＩＤを予め関連付けておく。また、ＵＥが再送用の制御情報多重信号を受信する際に、制御情報多重信号のどの位置に自端末宛ての制御信号が多重されているかを通知する必要がある。この通知方法の一手段として、ＡＣＫ／ＮＡＣＫ信号を用いる。具体的には、ＡＣＫ／ＮＡＣＫ信号を複数ＵＥ間で互いに解読可能な構成にし、自端末のＡＣＫ／ＮＡＣＫビット位置を予め決定しておくことで、受信したＡＣＫ／ＮＡＣＫ多重信号のビットパターンより、自端末宛ての制御信号の多重位置が判定可能となる。なお、自端��宛ての制御信号の多重位置の通知方法としては、ＡＣＫ／ＮＡＣＫ信号に限定されるものではなく、たとえば、専用の通知信号を用いても良い。また、実施の形態１では、グループＩＤ、各ＵＥのＡＣＫ／ＮＡＣＫ、および各ＵＥの制御信号を情報信号レベルで連結し（上記実施の形態では多重と呼んでいる）、単一の符号化ブロックとして、符号化処理、変調処理した後、無線リソースへマッピングして送信する。また、前述の通り、初回送信時と再送時とでは、シグナリングのフォーマットが異なるが、前記グループＩＤを初回送信用と再送用とで区別しておくことで、ＵＥはグループＩＤを識別すれば、受信信号のシグナリングフォーマットが特定できる。なお、再送の送信タイミングが既知の場合は、初回送信用グループＩＤと再送用グループＩＤとを同一にし、ＩＤの数を削減することも可能となる。【００５１】  （実施の形態２）
図１１は、本発明の実施の形態１に係る再送シグナリング方法を用いて、８つの再送ＵＥをシグナリングする場合を例示する図である。【００５２】  図１１に示すように、本発明の実施の形態１に係る再送シグナリング方法を用いて、８つの再送ＵＥをシグナリングする場合には、８つの再送ＵＥを３つのグループにまとめ、３つのＰＤＣＣＨを用いて送信する必要がある。図２と図１１とを比べると分かるように、本発明の実施の形態１に係る再送シグナリング方法を用いて、所定数以上の再送ＵＥをシグナリングする場合には、必要とするＰＤＣＣＨ数が非特許文献１に係るシグナル再送方法よりもより多くなる可能性がある。これは、再送用の制御情報多重信号は、初回送信用の制御情報多重信号に比べてＡＣＫ／ＮＡＣＫ多重信号をさらに含めるため、ＡＣＫ／ＮＡＣＫ多重信号の領域分、再送ＵＥのＬ１／Ｌ２制御信号を送信する領域が減少するためである。【００５３】  本発明の実施の形態２においては、再送ＵＥの数が所定の閾値以上であるか否かによって、再送シグナリングの方法を切り替え、シグナリングリソースを節約する。【００５４】  図１２は、本発明の実施の形態２に係る無線送信装置３００の構成を示すブロック図である。無線送信装置３００は、実施の形態１に示した無線送信装置１００（図３参照）と同様の基本的構成を有しており、同一の構成要素には同一の符号を付し、その説明を省略する。【００５５】  無線送信装置３００は、制御部３０１をさらに具備する点において、無線送信装置１００と相違する。なお、無線送信装置３００の多重部３０２は、無線送信装置１００の多重部１０２と処理の一部において相違し、それを示すために異なる符号を付す。【００５６】  制御部３０１は、多重部１０１から入力されるＡＣＫ／ＮＡＣＫ多重信号において値が「１」であるビットの数に基づき、すなわち、再送ＵＥの数に基づき、多重部３０２の多重処理方法を制御することにより無線送信装置３００の再送シグナリング方法を切り替える。【００５７】  多重部３０２は、制御部３０１の制御に基づき、初回送信シグナリングの場合、再送シグナリングにおいて再送ＵＥの数が所定の閾値より小さい場合、および再送ＵＥの数が所定の閾値以上である場合それぞれに対応する多重処理方法を切り替える。具体的には、多重部３０２は、初回送信シグナリングの場合、および再送シグナリングにおいて再送ＵＥの数が所定の閾値より小さい場合には、無線送信装置１００の多重部１０２の初回送信シグナリング時、および再送シグナリング時の多重処理と同様な処理を行い（図４〜図６参照）、制御情報多重信号を生成する。また、多重部３０２は、再送シグナリングにおいて再送ＵＥの数が所定の閾値以上である場合には、後述の図１３に示すような制御情報多重信号を生成する。ここで、所定の閾値は「４」を用いる。【００５８】  図１３は、再送シグナリングにおいて再送ＵＥの数が所定の閾値以上である場合に多重部３０２で得られる制御情報多重信号を示す図である。【００５９】  図１３においては、再送ＵＥの数が閾値と同一であって「４」である場合を例示している。図１３に示すように、多重部３０２は、非特許文献１に係る再送シグナリング方法（図２参照）を用��て、グループＩＤと、各再送ＵＥのＬ１／Ｌ２制御信号とを多重する。【００６０】  図１４は、本実施の形態に係る無線送信装置３００において制御情報多重信号を生成する手順を示すフロー図である。【００６１】  本実施の形態に係る無線送信装置３００において制御情報多重信号を生成する手順は、実施の形態１に係る無線送信装置１００において制御情報多重信号を生成する手順（図７参照）と同様の基本的ステップを有しており、同一のステップには同一の符号を付し、その説明を省略する。なお、図１４に示す手順は、ＳＴ２０１０をさらに有する点において図７に示した手順と相違する。【００６２】  ＳＴ２０１０において、制御部３０１は、再送ＵＥの数が所定の閾値以上であるか否かを判定する。ＳＴ２０１０において、再送ＵＥの数が所定の閾値以上であると判定される場合（ＳＴ２０１０：「ＹＥＳ」）、手順はＳＴ１０２０に移行し、一方、再送ＵＥの数が所定の閾値より小さいと判定される場合（ＳＴ２０１０：「ＮＯ」）、手順はＳＴ１０３０に移行する。【００６３】  図１５は、本実施の形態に係る無線受信装置４００の構成を示すブロック図である。【００６４】  無線受信装置４００は、実施の形態１に示した無線受信装置２００（図８参照）と同様の基本的構成を有しており、同一の構成要素には同一の符号を付し、その説明を省略する。なお、無線受信装置４００の識別部４０８および位置判定部４１０は、無線送信装置２００の識別部２０８および位置判定部２１０と処理の一部において相違し、それを示すために異なる符号を付す。【００６５】  識別部４０８は、復号部２０７から入力される復号信号の先頭に配置されているグループＩＤから自端末が属しているグループＩＤであるか否か、また、復号信号が初回送信用か再送用かを識別し、さらにシグナリングフォーマットを識別する。シグナリングフォーマットを識別する具体的な方法としては、グループＩＤが再送用グループＩＤの場合には、復号信号にＡＣＫ／ＮＡＣＫが含まれていると識別し、それ以外のグループＩＤである場合には、復号信号にＡＣＫ／ＮＡＣＫが含まれていないと識別し、識別結果を分離部２０９および位置判定部４１０に出力する。【００６６】  位置判定部４１０は、識別部４０８から入力される識別結果が初回送信用を示す場合、または識別部４０８から入力される識別情報が初回送信用シグナリングフォーマットと同一の再送用シグナリングフォーマットを示す場合（再送ＵＥの数が所定の閾値以上である場合）には、分離部２０９からＡＣＫ／ＮＡＣＫ多重信号が入力されず、予め決められた自端末Ｌ１／Ｌ２制御信号の配置位置を抽出部２１１に出力する。また、位置判定部４１０は、識別部４０８から入力される識別情報が初回送信用シグナリングフォーマットと異なる再送専用シグナリングフォーマットを示す場合（再送ＵＥの数が所定の閾値より小さい場合）には、分離部２０９から入力されるＡＣＫ／ＮＡＣＫ多重信号の各ビットの値に基づき、複数ＵＥのＬ１／Ｌ２制御信号のうち自端末Ｌ１／Ｌ２制御信号が配置されている位置を判定し、得られる位置判定結果を抽出部２１１に出力する。【００６７】  図１６は、本実施の形態に係るシグナリング方法の机上計算結果と���て、再送率に応じて必要となるＰＤＣＣＨ数の平均値を示す図である。【００６８】  図１６においては、比較のために非特許文献１に係るシグナリング方法の机上計算結果として、再送率に応じて必要となるＰＤＣＣＨ数の平均値も同時に示している。図１６において、「■」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。【００６９】  図１６に示すように、本実施の形態に係るＰＤＣＣＨ数の平均値は、常に非特許文献１に係るＰＤＣＣＨ数の平均値以下である。また、図９と図１６とを比べると分かるように、７５％以上の再送率においても、本実施の形態に係るＰＤＣＣＨ数の平均値は、実施の形態１に係るＰＤＣＣＨ数の平均値以下である。【００７０】  このように、本実施の形態によれば、無線送信装置は、再送ＵＥの数が所定の閾値以上であるか否かを判定し、判定結果に基づき再送シグナリング方法を切り替えるため、単位時間当たりの制御信号のユーザー収容数をさらに向上できる。【００７１】  なお、本実施の形態では、所定の閾値を「４」として説明したが、所定の閾値の値は１グループあたりに収容するＵＥ数に依存する値であり、「４」に限定されるものではない。例えば１グループ辺りに収容可能なＵＥ数が５である場合には、５を所定の閾値として設定する。【００７２】  （実施の形態３）
図１７は、本発明の実施の形態３に係る無線送信装置５００の構成を示すブロック図である。無線送信装置５００は、実施の形態１に示した無線送信装置１００（図３参照）と同様の基本的構成を有しており、同一の構成要素には同一の符号を付し、その説明を省略する。【００７３】  無線送信装置５００は、符号化部５０４および変調部５０６をさらに備える点において無線送信装置１００と相違する。なお、無線送信装置５００の多重部５０１、多重部５０２、およびマッピング部５０７は、無線送信装置１００の多重部１０１、多重部１０２、およびマッピング部１０７と処理の一部において相違し、それを示すために異なる符号を付す。【００７４】  多重部５０１は、生成されたＡＣＫ／ＮＡＣＫ多重信号を多重部５０２ではなく、符号化部５０４に出力する点のみにおいて無線送信装置１００の多重部１０１と相違する。【００７５】  多重部５０２は、初回送信シグナリングの場合でも再送シグナリングの場合でも両方とも、ＡＣＫ／ＮＡＣＫ多重信号を含めず、グループＩＤおよび複数ＵＥのＬ１／Ｌ２制御信号のみを用いて制御情報多重信号を生成する点において多重部１０２と相違する。【００７６】  符号化部５０４は、多重部５０１から入力されるＡＣＫ／ＮＡＣＫ多重信号に対し、畳み込み符号、Ｒｅｅｄ  Ｍｕｌｌｅｒ符号、ターボ符号化などの誤り訂正符号化を施し、得られる誤り訂正符号化信号を変調部５０６に出力する。なお、誤り訂正符号化を施さない構成も考えられる。【００７７】  変調部５０６は、符号化部５０４から入力される誤り訂正符号化信号に対し、ＰＳＫ変調またはＱＡＭ変調などの変調処理を施し、得られる変調信号をマッピング部５０７に出力する。【００７８】  マッピング部５０７は、変調部１０５，１０６それぞれから入力される変調信号を同一のＴＴＩ上の各ＰＤＣＣＨにマッピングするほか、さらに変調部５０６から入力されるＡＣＫ／ＮＡＣＫ多重信号を、変調部１０５，１０６から入力される変調信号がマッピングされたＰＤＣＣＨとは異なるＰＤＣＣＨにマッピングする。【００７９】  図１８は、再送シグナリングの場合に多重部５０２で得られる制御情報多重信号を示す図である。図１８に示すように、多重部５０２は、再送シグナリングの場合においてＡＣＫ／ＮＡＣＫ多重信号を含めずグループＩＤおよび複数ＵＥのＬ１／Ｌ２制御信号のみを用いて制御情報多重信号を生成する。多重部５０２は、ＡＣＫ／ＮＡＣＫ多重信号を多重しないため、無線送信装置１００の多重部１０２よりも、もう１つの再送ＵＥのＬ１／Ｌ２制御信号をさらに多重することができる。すなわち、図５と図１８とを比較すると分かるように、実施の形態１に係る無線送信装置１００は、ＵＥ＃１、ＵＥ＃４、およびＵＥ＃５の３つの再送ＵＥのシグナリングが可能であるに対し、本実施の形態に係る無線送信装置５００においては、ＵＥ＃１、ＵＥ＃３、ＵＥ＃４、およびＵＥ＃５の４つの再送ＵＥのシグナリングが可能である。【００８０】  図１９は、多重部５０２で得られる制御情報多重信号をマッピング部５０７によりＰＤＣＣＨにマッピングした結果を示す図である。【００８１】  図１９に示すように再送シグナリングにおいてマッピング部５０７は、多重���５０１で生成されたＡＣＫ／ＮＡＣＫ多重信号を、多重部５０２で生成された制御情報多重信号がマッピングされたＰＤＣＣＨとは異なるＰＤＣＣＨにマッピングする。なお、図１９に示すように、多重部５０１で生成されたＡＣＫ／ＮＡＣＫ多重信号がマッピングされるＰＤＣＣＨと、多重部５０２で生成された制御情報多重信号がマッピングされるＰＤＣＣＨとは周波数的に異なることも可能である。【００８２】  図２０は、本実施の形態に係る無線受信装置６００の構成を示すブロック図である。【００８３】  無線受信装置６００は、実施の形態１に示した無線受信装置２００（図８参照）と同様の基本的構成を有しており、同一の構成要素には同一の符号を付し、その説明を省略する。【００８４】  無線受信装置６００は、復調部６０６、復号部６０７をさらに具備する点において無線受信装置２００と相違する。なお、無線受信装置６００の逆マッピング部６０５、識別部６０８、分離部６０９、および位置判定部６１０は、無線送信装置２００の逆マッピング部２０５、識別部２０８、分離部２０９、および位置判定部２１０と処理の一部において相違し、それを示すために異なる符号を付す。【００８５】  逆マッピング部６０５は、ＦＦＴ部２０４から入力される周波数領域信号を各ＰＤＣＣＨ毎に分離し、得られる各ＰＤＣＣＨ信号のうち、初回送信用ＰＤＣＣＨ信号、再送用ＰＤＣＣＨ信号を復調部２０６に出力し、ＡＣＫ／ＮＡＣＫ送信用ＰＤＣＣＨ信号を復調部６０６に出力する。【００８６】  復調部６０６は、逆マッピング部６０５から入力されるＡＣＫ信号／ＮＡＣＫ多重信号に対して復調処理を行い、得られる復調信号を復号部６０７に出力する。【００８７】  復号部６０７は、復調部６０６から入力される復調信号に対して、畳み込み復号、Ｒｅｅｄ  Ｍｕｌｌｅｒ復号、あるいはターボ復号等の誤り訂正を行い、得られる復号信号を位置判定部６１０に出力する。【００８８】  識別部６０８は、復号部２０７から入力される復号信号のグループＩＤが自端末が属しているグループのグループＩＤであるか否かを識別し、自端末が属しているグループのグループＩＤである場合は、復号信号が初回送信用シグナリングか再送用シグナリングかを識別し位置判定部６１０に出力する。【００８９】  分離部６０９は、復号部２０７から入力される復号信号からグループＩＤを分離し、復号部２０７から入力される復号信号を位置判定部６１０に出力する。【００９０】  位置判定部６１０は、識別部６０８から入力される識別結果が初回送信用を示す場合には、復号部６０７からＡＣＫ／ＮＡＣＫ多重信号が入力されず、予め決められた自端末Ｌ１／Ｌ２制御信号の配置位置を抽出部２１１に出力する。また、位置判定部６１０は、識別部６０８から入力される識別結果が再送用を示す場合には、復号部６０７から入力されるＡＣＫ／ＮＡＣＫ多重信号の各ビットの値に基づき、複数ＵＥのＬ１／Ｌ２制御信号のうち自端末Ｌ１／Ｌ２制御信号の配置位置を判定し、得られる位置判定結果を抽出部２１１に出力する。【００９１】  図２１は、本実施の形態に係るシグナリング方法の机上計算結果として、再送率に応じて必要となるＰＤＣＣＨ数の平均値を示す図である。【００９２】  図２１���おいては、比較のために非特許文献１に係るシグナリング方法の机上計算結果として、再送率に応じて必要となるＰＤＣＣＨ数の平均値も同時に示している。図２１において、「×」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。【００９３】  図２１に示すように、本実施の形態に係るＰＤＣＣＨ数の平均値は、常に非特許文献１に係るＰＤＣＣＨ数の平均値以下である。また、図９と図１６と図２１とを比べると分かるように、本実施の形態に係るＰＤＣＣＨ数の平均値は、実施の形態１または実施の形態２に係るＰＤＣＣＨ数の平均値以下である。【００９４】  このように、本実施の形態によれば、無線送信装置は再送シグナリングにおいてＡＣＫ／ＮＡＣＫ多重信号を、再送ＵＥのＬ１／Ｌ２制御信号と異なるＰＤＣＣＨで送信するため、再送ＵＥのＬ１／Ｌ２制御信号を送信するＰＤＣＣＨを用いてより多くの再送ＵＥをシグナリングすることができ、単位時間当たりの制御信号のユーザー収容数をさらに向上できる。【００９５】  以上、本発明の各実施の形態について説明した。【００９６】  なお、上記各実施の形態では、再送ＵＥのＡＣＫ／ＮＡＣＫ多重信号を用いて各再送ＵＥを識別する場合を例にとって説明した。しかし、本発明はこれに限定されず、図２２に示すように、各再送ＵＥのＬ１／Ｌ２制御信号の前に当該再送ＵＥのＩＤを付加しても良い。図２２においては、「００００１」、「０１１０１」、「１１０１０」、「１１１１１」を用いて再送ＵＥのＩＤ「＃２」、「＃１４」、「＃２７」、「＃３２」それぞれを表している。これによって、再送ＵＥの数が所定の閾値以上である場合には、シグナリングオーバヘッドを低減することができる。例えば、１つのグループに４つのＵＥが含まれ、かつ、このような８つのグループに含まれる３２個のＵＥのＡＣＫ／ＮＡＣＫ信号を多重する場合、本実施の形態に示したように再送グループ毎に多重するのには３２ビットが必要となる。これに対し、８グループの３２個のＵＥのＡＣＫ／ＮＡＣＫ信号をまとめて多重する場合には、３２個のＵＥを５ビットのＩＤで表すことが可能である。そのため、図１０に示すように（５ビット／１ＵＥ）×（４ＵＥ）＝２０ビットが必要となり、１２ビットのシグナリングビットを低減することができる。【００９７】  また、本発明に係る無線送信装置および無線通信方法は、上記各実施の形態に限定されず、種々変更して実施することが可能である。例えば、各実施の形態は、適宜組み合わせて実施することが可能である。本発明の実施の形態２および実施の形態３を組み合わせる場合、所定の閾値は「５」を用いることが可能である。【００９８】  また、本発明に係る符号化部における誤り検出処理は、ＣＲＣ符号とＩＤとの排他的論理和であるＣＲＣ−ｍａｓｋを用いても良い。【００９９】  また、本発明に係る再送シグナリングのグルーピング対象となるＵＥは、初回送信シグナリングに異なる送信タイミング（サブフレーム）にて送信された複数グループに属されたもの���も良い。【０１００】  また、本発明に係るＡＣＫ／ＮＡＣＫ信号はＨＩＣＨ（Ｈｙｂｒｉｄ  ＡＲＱ  Ｉｎｄｉｃａｔｏｒチャネル）と呼ばれる場合がある。【０１０１】  また、上記実施の形態の説明に用いた制御情報多重信号、およびＡＣＫ／ＮＡＣＫ多重信号は、系列情報を時系列に配置したものあるが、無線リソース上への多重は、必ずしも時間多重である必要はなく周波数多重や符号多重でもよい。【０１０２】  また、上記各実施の形態では、グループ数が２、１グループに属するＵＥ数が４、全ＵＥ数８の場合を中心に説明したが、当然本発明はこれに限定されるものではない。例えば初回送信用の３グループに属する１２ＵＥを再送時には１グループに纏めて制御情報を送信しても良い。また、例えば１グループに属するＵＥ数を５として、２グループに属する１０ＵＥを再送時に１グループにまとめて、制御情報を通知することも可能である。【０１０３】  また、上記各実施の形態では、ＮＡＣＫ＝「１」、ＡＣＫ＝「０」として定義したがこれに限定されるものではなく、ＮＡＣＫ＝「０」、ＡＣＫ＝「１」と定義されていても良い。【０１０４】  また、上記実施の形態の説明には、ＯＦＤＭ送受信装置を例に用いたがこれに限定されるものではない。【０１０５】  また、上記実施の形態におけるＰＤＣＣＨは制御チャネルを表しているが、制御チャネルとしては必ずしもこれに限定されるものではない。例えば、３ＧＰＰ規格ではＨＳ−ＤＳＣＨに付随する（ａｓｓｏｃｉａｔｅｄ）チャネルであるＨＳ−ＳＣＣＨなどがある。【０１０６】  また、上記実施の形態におけるグループＩＤはＧ−ＲＮＴＩ（Ｇｒｏｕｐ−Ｒａｄｉｏ  Ｎｅｔｗｏｒｋ  Ｔｅｍｐｏｒａｒｙ  ＩＤ）と呼ばれる場合がある。【０１０７】  また、無線通信基地局装置はＮｏｄｅ  Ｂと称されることがあり、ＵＥは移動局装置と称されることがある。【０１０８】  また、ここでは、本発明をハードウェアで構成する場合を例にとって説明したが、本発明をソフトウェアで実現することも可能である。例えば、本発明に係るパイロット生成方法のアルゴリズムをプログラミング言語によって記述し、このプログラムをメモリに記憶しておいて情報処理手段によって実行させることにより、本発明に係る無線送信装置と同様の機能を実現することができる。【０１０９】  また、上記各実施の形態の説明に用いた各機能ブロックは、典型的には集積回路であるＬＳＩとして実現される。これらは個別に１チップ化されても良いし、一部または全てを含むように１チップ化されても良い。【０１１０】  また、ここではＬＳＩとしたが、集積度の違いによって、ＩＣ、システムＬＳＩ、スーパーＬＳＩ、ウルトラＬＳＩ等と呼称されることもある。【０１１１】  また、集積回路化の手法はＬＳＩに限るものではなく、専用回路または汎用プロセッサで実現しても良い。ＬＳＩ製造後に、プログラム化することが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続もしくは設定を再構成可能なリコンフィギュラブル・プロセッサを利用しても良い。【０１１２】  さらに、半導体技術の進歩または派生する別技術により、ＬＳＩに置き換わる集積回路化の技術が登場すれば、��然、その技術を用いて機能ブロックの集積化を行っても良い。バイオ技術の適応等が可能性としてあり得る。【０１１３】  ２００７年３月１９日出願の特願２００７−０７１２６０の日本出願に含まれる明細書、図面および要約書の開示内容は、すべて本願に援用される。
【産業上の利用可能性】
【０１１４】  本発明に係る無線通信基地局装置は、複数のＵＥの制御信号を１つのグループにまとめてＵＥに通知するグループシグナリングを行なう移動体通信システムの技術において適用することが可能である。
【図１】
2008114510.tif 000003
【図２】
2008114510.tif 000004
【図３】
2008114510.tif 000005
【図４】
2008114510.tif 000006
【図５】
2008114510.tif 000007
【図６】
2008114510.tif 000008
【図７】
2008114510.tif 000009
【図８】
2008114510.tif 000010
【図９】
2008114510.tif 000011
【図１０】
2008114510.tif 000012
【図１１】
2008114510.tif 000013
【図１２】
2008114510.tif 000014
【図１３】
2008114510.tif 000015
【図１４】
2008114510.tif 000016
【図１５】
2008114510.tif 000017
【図１６】
2008114510.tif 000018
【図１７】
2008114510.tif 000019
【図１８】
2008114510.tif 000020
【図１９】
2008114510.tif 000021
【図２０】
2008114510.tif 000022
【図２１】
2008114510.tif 000023
【図２２】
2008114510.tif 000024
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
初回送信用の複数のグループに属する複数の端末各々へのＡＣＫ信号またはＮＡＣＫ信号を多重してＡＣＫ／ＮＡＣＫ多重信号を生成する第１多重手段と、
前記複数のグループと関連付けられた１つの再送用グループのグループＩＤと、前記複数の端末のうちの一部の再送端末に対する制御情報と、を多重して制御情報多重信号を生成する第２多重手段と、
前記ＡＣＫ／ＮＡＣＫ多重信号および前記制御情報多重信号を送信する送信手段と、
を具備する無線通信基地局装置。
【請求項２】
前記第２多重手段は、
前記ＡＣＫ／ＮＡＣＫ多重信号と前記制御情報多重信号とをさらに多重し、
前記送信手段は、
前記ＡＣＫ／ＮＡＣＫ多重信号および前記制御情報多重信号を同一ＴＴＩで送信する、
請求項１記載の無線通信基地局装置。
【請求項３】
前記送信手段は、
前記ＡＣＫ／ＮＡＣＫ多重信号と前記制御情報多重信号とを互いに異なる制御チャネルで送信する、
請求項１記載の無線通信基地局装置。
【請求項４】
前記第２多重手段は、
前記複数のグループの複数のグループＩＤの共通部分からなる前記再送用グループのグループＩＤを多重する、
請求項１記載の無線通信基地局装置。
【請求項５】
前記再送端末の数が所定の閾値より小さいか否かを判定する判定手段を、さらに具備し、
前記第２多重手段は、
前記判定手段において前記再送端末の数が所定の閾値より小さいと判定した場合に、前記複数のグループと関連付けられた１つの再送用グループのグループＩＤと、前記複数の端末のうちの一部の再送端末に対する制御情報と、を多重して制御情報多重信号を生成する、
請求項１記載の無線通信基地局装置。
【請求項６】
初回送信用の複数のグループに属する複数の端末各々へのＡＣＫ信号またはＮＡＣＫ信号を多重してＡＣＫ／ＮＡＣＫ多重信号を生成するステップと、
前記複数のグループと関連付けられた１つの再送用グループのグループＩＤと、前記複数の端末のうちの一部の再送端末に対する制御情報と、を多重して制御情報多重信号を生成するステップと、
前記ＡＣＫ／ＮＡＣＫ多重信号および前記制御情報多重信号を送信するステップと、
を具備する無線通信方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置および無線通信方法に関する。
【背景技術】
【０００２】
現在、3GPP RAN LTE(Long Term Evolution)では、スケジューリング時のシグナリングオーバヘッドの低減を目的として、Ｌ１／Ｌ２コントロールシグナリングの最適化方法が検討されている。
【０００３】
前記Ｌ１／Ｌ２コントロールシグナリングの最適化方法の１つとして、グループシグナリングが提案されている（例えば、非特許文献１参照）。図１は、グループシグナリングを説明するための図である。グループシグナリングでは、複数のＵＥ（User Equipment）それぞれの初回送信用のＬ１／Ｌ２制御信号を１つのグループにまとめて送信する。すなわち、ＢＳ（Base Station）は、複数ＵＥのＬ１／Ｌ２制御信号と、この複数のＵＥが属するグループＩＤとを１つの送信時間間隔（ＴＴＩ：Transmission Time Interval）に多重して、初回送信用ＰＤＣＣＨ(Physical Downlink Control Channel)で送信することによりシグナリングを行う。ここで、ＰＤＣＣＨは制御信号の一送信単位を示すこととする。すなわち、１グループに対して送信される制御信号を示す。また、ここでＬ１／Ｌ２制御信号としては、パケット伝送に伴うデータ復調用制御信号と、再送制御信号とがある。前者は、周波数リソースおよび時間リソースの割り当て情報や、変調方式、符号化率、データサイズなどを通知するための信号であり、後者は、再送回数情報、HARQ処理番号(HARQ process number)、冗長度情報(redundancy version)、バッファ消去情報(new data indicator)などを通知するための信号である。
【０００４】
各ＵＥは、自端末が属するグループＩＤが送信されたか否かを待ち受け、該当グループＩＤを受信した場合に、予め定められている該当位置から自端末宛のＬ１／Ｌ２制御信号を抽出する。上記グループシグナリングにより、ＵＥ毎に付与されたＩＤを用いてシグナリングする方法に比べて、ＩＤの総数を低減することができるため、システムのシグナリングオーバヘッドを低減することができる。
【０００５】
なお、上記のグループシグナリングにおいて、再送ＵＥに対するシグナリングを行う際には、初回送信シグナリングに用いたグループＩＤをそのまま用いる。図１に示すように、初回送信に誤りが発生し再送が必要なＵＥ、例えばＵＥ＃１およびＵＥ＃４に対しては、再送用のＬ１／Ｌ２制御信号を再送用ＴＴＩ内において初回送信時と同様な領域に多重して送信する。一方、初回送信が正常に行われたＵＥ、例えばＵＥ＃２およびＵＥ＃３に対しては、再送用のＬ１／Ｌ２制御信号を送信する必要がないため、再送用ＰＤＣＣＨ内においてＵＥ＃２およびＵＥ＃３の該当領域は「０」などの値で埋められる。ここで、再送用ＰＤＣＣＨ内において各ＵＥに対応する領域が「０」で埋められたか否かにより、各ＵＥに対するＡＣＫ（肯定応答）またはＮＡＣＫ（否定応答）のシグナリングを行う。
【非特許文献１】3GPP R2-070055, Ericsson, “Scheduling for maximizing VoIP capacity”,15th-19th January 2007
【発明の開示】
【発明が解決しようとする課題】
【０００６】
しかしながら、非特許文献１記載の再送用のＬ１／Ｌ２制御信号のグループシグナリングは、シグナリングリソースの浪費を生じるという問題がある。図２は、非特許文献１記載のグループシグナリングにより生じるシグナリングリソースの浪費を説明するための図である。この図においては、ＵＥ＃１〜ＵＥ＃４をグループ＃Ａにグルーピングし、ＵＥ
＃５〜ＵＥ＃８をグループ＃Ｂにグルーピングしてシグナリングを行い、ＵＥ＃１，ＵＥ＃４，ＵＥ＃５が再送ＵＥとなる場合を例示する。図２に示すように、再送されるグループ＃Ｂには、１つのＵＥ（ＵＥ＃５）のみの制御信号が多重されＵＥ＃６〜ＵＥ＃８の３つのＵＥに対応する領域が「０」で埋められる。すなわち、４つのＵＥに対応する領域のうち、４分の１だけの領域に制御信号が多重され、４分の３の領域が「０」で埋められるため、シグナリングリソースの浪費が生じる。
【０００７】
本発明の目的は、グループシグナリングにおいて再送シグナリングのシグナリングリソースを節約することができる無線通信基地局装置および無線通信方法を提供することである。
【課題を解決するための手段】
【０００８】
本発明の無線通信基地局装置は、初回送信用の複数のグループに属する複数の端末各々へのＡＣＫ信号またはＮＡＣＫ信号を多重してＡＣＫ／ＮＡＣＫ多重信号を生成する第１多重手段と、前記複数のグループと関連付けられた１つの再送用グループのグループＩＤと、前記複数の端末のうちの一部の再送端末に対する制御情報と、を多重して制御情報多重信号を生成する第２多重手段と、前記ＡＣＫ／ＮＡＣＫ多重信号および前記制御情報多重信号を送信する送信手段とを具備する構成を採る。
【０００９】
本発明の無線通信方法は、初回送信用の複数のグループに属する複数の端末各々へのＡＣＫ信号またはＮＡＣＫ信号を多重してＡＣＫ／ＮＡＣＫ多重信号を生成するステップと、前記複数のグループと関連付けられた１つの再送用グループのグループＩＤと、前記複数の端末のうちの一部の再送端末に対する制御情報と、を多重して制御情報多重信号を生成するステップと、前記ＡＣＫ／ＮＡＣＫ多重信号および前記制御情報多重信号を送信するステップとを有するようにした。
【発明の効果】
【００１０】
本発明によれば、グループシグナリングにおいて再送シグナリングのシグナリングリソースを節約することができる。
【発明を実施するための最良の形態】
【００１１】
以下、本発明の実施の形態について、添付図面を参照して詳細に説明する。以下の説明では、無線送信装置としては無線通信基地局装置を想定し、無線受信装置としては８つのＵＥを想定する。また、アップリンクのパケット送信をスケジューリングするためにダウンリンクのＰＤＣＣＨにてＬ１／Ｌ２制御信号をグループシグナリングする場合を想定する。１グループあたりに４つのＵＥをグルーピングし、例えば初回送信シグナリングの場合には、ＵＥ＃１〜ＵＥ＃４をグループ＃Ａにグルーピングし、ＵＥ＃５〜ＵＥ＃８をグループ＃Ｂにグルーピングする。また、初回送信用と再送用の各ＵＥのＬ１／Ｌ２制御信号のサイズは同一である。
【００１２】
（実施の形態１）
図３は、本発明の実施の形態１に係る無線送信装置１００の構成を示すブロック図である。
【００１３】
多重部１０１は、再送シグナリングの場合のみに、予め定められた複数のグループに属するＵＥのＡＣＫ／ＮＡＣＫ信号をまとめてＡＣＫ／ＮＡＣＫ多重信号を生成する。具体的には、グループ＃Ａに属するＵＥ＃１〜ＵＥ＃４、および、グループ＃Ｂに属するＵＥ＃５〜ＵＥ＃８の８つのＵＥのＡＣＫ／ＮＡＣＫ信号を多重し、得られるＡＣＫ／ＮＡＣＫ多重信号を多重部１０２に出力する。
【００１４】
多重部１０２は、初回送信シグナリングの場合には、初回送信用グループＩＤ、複数の初回送信ＵＥのＬ１／Ｌ２制御信号をグループ毎に多重し、再送シグナリングの場合には、再送用グループＩＤ、複数の再送ＵＥのＬ１／Ｌ２制御信号、および多重部１０１から入力されるＡＣＫ／ＮＡＣＫ多重信号を再送グループ毎に多重し、制御情報多重信号を生成する。多重部１０２は、得られる制御情報多重信号を符号化部１０３および符号化部１０４それぞれに１グループずつ出力する。例えば、初回送信シグナリングを行う場合には、グループ＃Ａに対応する制御情報多重信号を符号化部１０３に出力するとともに、グループ＃Ｂに対応する制御情報多重信号を符号化部１０４に出力する。
【００１５】
符号化部１０３，１０４それぞれは、多重部１０２から入力される制御情報多重信号それぞれに対し、畳み込み符号化、あるいはターボ(Turbo)符号化などの誤り訂正符号化を
施し、得られる誤り訂正符号化信号を変調部１０５，１０６に出力する。
【００１６】
変調部１０５，１０６それぞれは、符号化部１０３，１０４それぞれから入力される誤り訂正符号化信号に対し、ＰＳＫ変調(Phase Shift Keying)またはＱＡＭ変調(Quadrature Amplitude Modulation)などの変調処理を施し、得られる変調信号をマッピング部１０７に出力する。
【００１７】
マッピング部１０７は、変調部１０５，１０６それぞれから入力される変調信号を同一のＴＴＩ上の各ＰＤＣＣＨにマッピングする。
【００１８】
ＩＦＦＴ（Inverse Fast Fourier Transform）部１０８は、ＰＤＣＣＨにマッピングされた信号に対しＩＦＦＴ処理を行い、得られる時間領域信号をＣＰ（Cyclic Prefix）付加部１０９に出力する。
【００１９】
ＣＰ付加部１０９は、ＩＦＦＴ部１０８から入力される時間領域信号の後端部分をその時間領域信号の先頭に付加し、得られるＣＰ付加信号を無線送信部１１０に出力する。
【００２０】
無線送信部１１０は、ＣＰ付加部１０９から入力されるＣＰ付加信号に対し、Ｄ／Ａ変換、増幅、およびアップコンバートなどの無線送信処理を行い、送信アンテナ１１１を介し送信する。
【００２１】
図４は、初回送信シグナリングの場合に多重部１０２で得られる制御情報多重信号を示す図である。
【００２２】
初回送信シグナリングにおいて、無線送信装置１００はＡＣＫ／ＮＡＣＫ信号を送信する必要がないため、多重部１０１はＡＣＫ／ＮＡＣＫ多重信号を生成しない。多重部１０２は、図４に示すように、制御情報多重信号の所定の位置にグループＩＤと、グループに属する４個のＵＥのＬ１／Ｌ２制御信号を配置する。これをグループ数分実施する。例えば、多重部１０２は、グループＩＤ「＃Ａ」、およびＵＥ＃１〜＃４のＬ１／Ｌ２制御信号を多重してグループ＃Ａに対応する制御情報多重信号を生成し、グループＩＤ「＃Ｂ」、およびＵＥ＃５〜＃８のＬ１／Ｌ２制御信号を多重してグループ＃Ｂに対応する制御情報多重信号を構成する。ここで、各ＵＥのＬ１／Ｌ２制御信号の多重位置は予め定められている。
【００２３】
図５は、再送シグナリングの場合に多重部１０２で得られる制御情報多重信号を示す図である。図５においては、ＵＥ＃１、ＵＥ＃４、およびＵＥ＃５の３つのＵＥが再送ＵＥである場合を例示する。
【００２４】
再送シグナリングの場合において、多重部１０１は８つのＵＥのＡＣＫ／ＮＡＣＫ信号を多重してＡＣＫ／ＮＡＣＫ多重信号を生成する。具体的には、ＡＣＫ／ＮＡＣＫ多重信号を構成する８ビットの各ビットを用いて、８つのＵＥのＡＣＫ／ＮＡＣＫ信号それぞれを示す。図５に示すように、ＵＥ＃１、ＵＥ＃４、ＵＥ＃５が再送ＵＥとなる場合、多重部１０１は「１００１１０００」というＡＣＫ／ＮＡＣＫ多重信号を生成する。ここで各ビットの「１」はＮＡＣＫを示し、「０」は「ＡＣＫ」を示す。従って、本例では、ＡＣＫ／ＮＡＣＫ多重信号の１，４，５ビット目の値が「１」であるため、再送ＵＥの番号は順次＃１，＃４，＃５となる。この構成のＡＣＫ／ＮＡＣＫ多重信号を用いて、各ＵＥは、再送されるＵＥの番号を検出することができ、さらに、グループＩＤ、ＡＣＫ／ＮＡＣＫ多重信号、および再送ＵＥのＬ１／Ｌ２制御信号からなる制御情報多重信号のどの位置に自端末該当のＬ１／Ｌ２制御信号が多重されているかを判別することができる。多重部１０１は、生成したＡＣＫ／ＮＡＣＫ多重信号を多重部１０２に出力する。
【００２５】
再送シグナリングの場合において、多重部１０２はＵＥ＃１、ＵＥ＃４、およびＵＥ＃５の３つの再送ＵＥのＬ１／Ｌ２制御信号をグループ＃Ｃにグルーピングする。具体的には、多重部１０２は、図５に示すようにグループ＃ＣのグループＩＤを制御情報多重信号の先頭に配置し、その後ろに多重部１０１から入力されるＡＣＫ／ＮＡＣＫ多重信号、およびＵＥ＃１、ＵＥ＃４、ＵＥ＃５のＬ１／Ｌ２制御信号を順次配置する。ここで、グループ＃ＣのグループＩＤは、グループ＃Ａおよびグループ＃Ｂと関連付けられるものであるため、グループ＃ＣのグループＩＤを別途通知するためのシグナリングオーバヘッドを低減することができる。また、多重部１０１から入力されるＡＣＫ／ＮＡＣＫ多重信号の「１」の値となる各ビットの番号は、制御情報多重信号においてＡＣＫ／ＮＡＣＫ多重信号の後ろに配置される各Ｌ１／Ｌ２制御信号に対応する各再送ＵＥの番号を示す。本例では、ＡＣＫ／ＮＡＣＫ多重信号の１，４，５ビット目の値が「１」となるため、ＡＣＫ／ＮＡＣＫ多重信号の後ろに配置されるＬ１／Ｌ２制御信号は順次ＵＥ＃１、ＵＥ＃４、ＵＥ＃５に対応する。なお、制御情報多重信号におけるグループＩＤ、ＡＣＫ／ＮＡＣＫ多重信号、各ＵＥのＬ１／Ｌ２制御信号の配置場所は上記配置に限定されるものではなく、予め配置場所に関する情報を基地局とＵＥが共有していればどのような配置であっても良い。
【００２６】
図６は、多重部１０２で得られる制御情報多重信号をマッピング部１０７によりＰＤＣＣＨにマッピングした結果を示す図である。
【００２７】
図６に示すように、再送シグナリングの場合において多重部１０２は、再送ＵＥであるＵＥ＃１、ＵＥ＃４、ＵＥ＃５のＬ１／Ｌ２制御信号を１つのグループ＃Ｃにグルーピングするため、シグナリングリソースを節約することができ、初回送信ＵＥ、例えばＵＥ＃９〜＃１２のＬ１／Ｌ２制御信号をグループ＃Ｄにグルーピングしてグループ＃Ｃと同一のＴＴＩで送信することができるので、単位時間当たりの制御信号のユーザー収容数を向上できる。
【００２８】
図７は、本実施の形態に係る無線送信装置１００において制御情報多重信号を生成する手順を示すフロー図である。
【００２９】
まず、ステップ（以下、「ＳＴ」と記す）１０１０において、無線送信装置１００はシグナリング処理が初回送信シグナリングであるか、または再送シグナリングであるかを判定する。
【００３０】
ＳＴ１０１０において、初回送信シグナリングであると判定された場合（ＳＴ１０１０：「ＹＥＳ」）には、ＳＴ１０２０において多重部１０２は、グループＩＤ、および各ＵＥのＬ１／Ｌ２制御信号を多重して制御情報多重信号を生成する。
【００３１】
一方、ＳＴ１０１０において、再送シグナリングであると判定された場合（ＳＴ１０１０：「ＮＯ」）には、ＳＴ１０３０において多重部１０１は、再送ＵＥのＡＣＫ／ＮＡＣＫ信号を多重してＡＣＫ／ＮＡＣＫ多重信号を生成する。
【００３２】
次いで、ＳＴ１０４０において、多重部１０２は、グループＩＤ、各ＵＥのＬ１／Ｌ２制御信号、および多重部１０１で生成されたＡＣＫ／ＮＡＣＫ多重信号を多重して、制御情報多重信号を生成する。
【００３３】
図８は、本実施の形態に係る無線受信装置２００の構成を示すブロック図である。
【００３４】
無線受信部２０２は、無線送信装置１００から送信された無線信号を、受信アンテナ２
０１を介して受信し、ダウンコンバート、Ａ／Ｄ変換等の無線受信処理を施し、得られるデジタル信号をＣＰ除去部２０３に出力する。
【００３５】
ＣＰ除去部２０３は、無線受信部２０２から入力されるデジタル信号の先頭に付加されたＣＰを除去し、得られるＣＰ除去信号をＦＦＴ（Fast Fourier Transform)部２０４に出力する。
【００３６】
ＦＦＴ部２０４は、ＣＰ除去部２０３から入力されるＣＰ除去信号に対してＦＦＴ処理を行い、得られる周波数領域信号を逆マッピング部２０５に出力する。
【００３７】
逆マッピング部２０５は、ＦＦＴ部２０４から入力される周波数領域信号を各ＰＤＣＣＨ毎に分離し、得られる各ＰＤＣＣＨ信号を復調部２０６に出力する。
【００３８】
復調部２０６は、逆マッピング部２０５から入力される各ＰＤＣＣＨ信号に対して復調処理を行い、得られる復調信号を復号部２０７に出力する。
【００３９】
復号部２０７は、復調部２０６から入力される復調信号に対して、畳み込み復号、あるいはターボ復号等の誤り訂正を行い、得られる復号信号を識別部２０８および分離部２０９に出力する。
【００４０】
識別部２０８は、復号部２０７から入力される復号信号の先頭に配置されているグループＩＤから自端末が属しているグループＩＤであるか否かを識別し、自端末が属しているグループＩＤである場合には、さらに復号部２０７から入力される復号信号が初回送信用か再送用かを識別し、識別結果を分離部２０９および位置判定部２１０に出力する。
【００４１】
分離部２０９は、復号部２０７から入力される復号信号からグループＩＤを分離する。さらに、分離部２０９は、識別部２０８から入力される識別結果が再送用を示す場合には、復号信号からＡＣＫ／ＮＡＣＫ多重信号を分離し、得られるＡＣＫ／ＮＡＣＫ多重信号を位置判定部２１０に出力し、複数ＵＥのＬ１／Ｌ２制御信号を抽出部２１１に出力する。
【００４２】
位置判定部２１０は、識別部２０８から入力される識別結果が初回送信用を示す場合には、分離部２０９からＡＣＫ／ＮＡＣＫ多重信号が入力されず、予め決められた自端末Ｌ１／Ｌ２制御信号の配置位置を抽出部２１１に出力する。また、位置判定部２１０は、識別部２０８から入力される識別結果が再送用を示す場合には、分離部２０９から入力されるＡＣＫ／ＮＡＣＫ多重信号の各ビットの値に基づき、複数ＵＥのＬ１／Ｌ２制御信号のうち自端末Ｌ１／Ｌ２制御信号の配置位置を判定し、得られる位置判定結果を抽出部２１１に出力する。
【００４３】
抽出部２１１は、位置判定部２１０から入力される位置判定結果に基づき、分離部２０９から入力される複数ＵＥのＬ１／Ｌ２制御信号のうち、自端末Ｌ１／Ｌ２制御信号を抽出する。
【００４４】
図９は、本実施の形態に係るシグナリング方法の机上計算結果として、再送率に応じて必要となるＰＤＣＣＨ数の平均値を示す図である。図９においては、比較のために非特許文献１に係るシグナリング方法の机上計算結果として、再送率に応じて必要となるＰＤＣＣＨ数の平均値も同時に示している。図９において、「▲」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。
【００４５】
図９に示すように、７５％ぐらい以下の再送率においては、非特許文献１に係るＰＤＣＣＨ数の平均値よりも本実施の形態に係るＰＤＣＣＣＨ数の平均値がより低い。これは、非特許文献１に係るシグナリング方法では、複数の異なるグループでそれぞれ１ＵＥでも再送が発生した場合、グループ数分のＰＤＣＣＨが必要となるからである。一方、図９に示すように、７５％ぐらいより高い再送率においては、非特許文献１に係るＰＤＣＣＨ数の平均値よりも本実施の形態に係るＰＤＣＣＣＨ数の平均値がより高い。しかし、通常ＡＭＣ（Adaptive Modulation and Coding）を実施するシステムの再送率は１０〜３０％に設定され、７５％以上の再送率を用いてシステムが運用されることはない。すなわち、非特許文献１に係るシグナリング方法よりも本実施の形態に係るシグナリング方法の方がシグナリングリソースを節約することができる。
【００４６】
このように、本実施の形態によれば、無線送信装置は初回送信用の複数のグループに属する複数のＵＥ各々へのＡＣＫ信号またはＮＡＣＫ信号を多重してＡＣＫ／ＮＡＣＫ多重信号を生成し、初回送信用の複数のグループと関連付けられた１つの再送用グループのグループＩＤと、再送ＵＥのＬ１／Ｌ２制御信号と、ＡＣＫ／ＮＡＣＫ多重信号を多重して送信する。このため、再送シグナリングに用いるＰＤＣＣＨの数を削減し、節約されたＰＤＣＣＨを新たなＵＥの初回送信シグナリングに用いることができ、単位時間当たりの制御信号のユーザー収容数を向上できる。
【００４７】
また、本実施の形態では複数の再送ＵＥを、初回送信用グループＩＤと異なる新たなグループＩＤを持つグループにまとめてシグナリングを行う場合を例にとって説明した。しかし、本発明はこれに限定されず、図１０に示すように、再送用の新たなグループのグループＩＤとして、初回送信用の複数のグループＩＤの共通部分を用いても良い。図１０においては、初回送信用グループ＃Ａ，＃ＢのグループＩＤとしてそれぞれ「０１００１００１０００１１１０１」および「０１００１００１０１１１００１０」を用い、再送用グループ＃ＣのグループＩＤとして「０１００１００１」を用いる場合を示している。ここで、再送用グループ＃ＣのグループＩＤ「０１００１００１」は、初回送信用グループ＃Ａ、＃ＢのグループＩＤ「０１００１００１０００１１１０１」および「０１００１００１０１１１００１０」それぞれの前の８ビットからなる。初回送信シグナリング時にグループ＃Ａ、＃Ｂに属していたＵＥは、再送用グループ＃Ｃを受信するとグループ＃ＣのグループＩＤと、グループ＃Ａ、＃ＢのグループＩＤとの関連性から自端末宛の再送制御信号であるか否かを判定することができる。図１０に示すように、グループ＃ＣのグループＩＤとして、グループ＃Ａ、＃ＢのグループＩＤの共通部分を用いると、グループ＃ＣのグループＩＤとして８ビットのみを用い、通常のグループＩＤよりも８ビットを節約することができる。
【００４８】
また、ＡＣＫ／ＮＡＣＫ信号をグループＩＤおよび各ＵＥのＬ１／Ｌ２制御信号と同一のＰＤＣＣＨに多重することで、誤り訂正の処理情報ビット系列長が長くなるので、ＡＣＫ／ＮＡＣＫ信号を単独のＰＤＣＣＨとして送信する場合と比較して、誤り訂正能力が向上する。
【００４９】
以上のように、本実施の形態１では、初回送信シグナリング時において複数の異なるグループにそれぞれ属している複数のＵＥを、再送シグナリング時にはまとめて同一グループとしてシグナリングする。ここで、ＵＥが再送用のシグナリングを受信する際に、自端末の属する再送用グループを識別できるように、再送用グループＩＤに複数の初回送信用グループＩＤを予め関連付けておく。また、ＵＥが再送用の制御情報多重信号を受信する際に、制御情報多重信号のどの位置に自端末宛ての制御信号が多重されているかを通知する必要がある。この通知方法の一手段として、ＡＣＫ／ＮＡＣＫ信号を用いる。具体的には、ＡＣＫ／ＮＡＣＫ信号を複数ＵＥ間で互いに解読可能な構成にし、自端末のＡＣＫ／
ＮＡＣＫビット位置を予め決定しておくことで、受信したＡＣＫ／ＮＡＣＫ多重信号のビットパターンより、自端末宛ての制御信号の多重位置が判定可能となる。なお、自端末宛ての制御信号の多重位置の通知方法としては、ＡＣＫ／ＮＡＣＫ信号に限定されるものではなく、たとえば、専用の通知信号を用いても良い。また、実施の形態１では、グループＩＤ、各ＵＥのＡＣＫ／ＮＡＣＫ、および各ＵＥの制御信号を情報信号レベルで連結し（上記実施の形態では多重と呼んでいる）、単一の符号化ブロックとして、符号化処理、変調処理した後、無線リソースへマッピングして送信する。また、前述の通り、初回送信時と再送時とでは、シグナリングのフォーマットが異なるが、前記グループＩＤを初回送信用と再送用とで区別しておくことで、ＵＥはグループＩＤを識別すれば、受信信号のシグナリングフォーマットが特定できる。なお、再送の送信タイミングが既知の場合は、初回送信用グループＩＤと再送用グループＩＤとを同一にし、ＩＤの数を削減することも可能となる。
【００５０】
（実施の形態２）
図１１は、本発明の実施の形態１に係る再送シグナリング方法を用いて、８つの再送ＵＥをシグナリングする場合を例示する図である。
【００５１】
図１１に示すように、本発明の実施の形態１に係る再送シグナリング方法を用いて、８つの再送ＵＥをシグナリングする場合には、８つの再送ＵＥを３つのグループにまとめ、３つのＰＤＣＣＨを用いて送信する必要がある。図２と図１１とを比べると分かるように、本発明の実施の形態１に係る再送シグナリング方法を用いて、所定数以上の再送ＵＥをシグナリングする場合には、必要とするＰＤＣＣＨ数が非特許文献１に係るシグナル再送方法よりもより多くなる可能性がある。これは、再送用の制御情報多重信号は、初回送信用の制御情報多重信号に比べてＡＣＫ／ＮＡＣＫ多重信号をさらに含めるため、ＡＣＫ／ＮＡＣＫ多重信号の領域分、再送ＵＥのＬ１／Ｌ２制御信号を送信する領域が減少するためである。
【００５２】
本発明の実施の形態２においては、再送ＵＥの数が所定の閾値以上であるか否かによって、再送シグナリングの方法を切り替え、シグナリングリソースを節約する。
【００５３】
図１２は、本発明の実施の形態２に係る無線送信装置３００の構成を示すブロック図である。無線送信装置３００は、実施の形態１に示した無線送信装置１００（図３参照）と同様の基本的構成を有しており、同一の構成要素には同一の符号を付し、その説明を省略する。
【００５４】
無線送信装置３００は、制御部３０１をさらに具備する点において、無線送信装置１００と相違する。なお、無線送信装置３００の多重部３０２は、無線送信装置１００の多重部１０２と処理の一部において相違し、それを示すために異なる符号を付す。
【００５５】
制御部３０１は、多重部１０１から入力されるＡＣＫ／ＮＡＣＫ多重信号において値が「１」であるビットの数に基づき、すなわち、再送ＵＥの数に基づき、多重部３０２の多重処理方法を制御することにより無線送信装置３００の再送シグナリング方法を切り替える。
【００５６】
多重部３０２は、制御部３０１の制御に基づき、初回送信シグナリングの場合、再送シグナリングにおいて再送ＵＥの数が所定の閾値より小さい場合、および再送ＵＥの数が所定の閾値以上である場合それぞれに対応する多重処理方法を切り替える。具体的には、多重部３０２は、初回送信シグナリングの場合、および再送シグナリングにおいて再送ＵＥの数が所定の閾値より小さい場合には、無線送信装置１００の多重部１０２の初回送信シグナリング時、および再送シグナリング時の多重処理と同様な処理を行い（図４〜図６参
照）、制御情報多重信号を生成する。また、多重部３０２は、再送シグナリングにおいて再送ＵＥの数が所定の閾値以上である場合には、後述の図１３に示すような制御情報多重信号を生成する。ここで、所定の閾値は「４」を用いる。
【００５７】
図１３は、再送シグナリングにおいて再送ＵＥの数が所定の閾値以上である場合に多重部３０２で得られる制御情報多重信号を示す図である。
【００５８】
図１３においては、再送ＵＥの数が閾値と同一であって「４」である場合を例示している。図１３に示すように、多重部３０２は、非特許文献１に係る再送シグナリング方法（図２参照）を用いて、グループＩＤと、各再送ＵＥのＬ１／Ｌ２制御信号とを多重する。
【００５９】
図１４は、本実施の形態に係る無線送信装置３００において制御情報多重信号を生成する手順を示すフロー図である。
【００６０】
本実施の形態に係る無線送信装置３００において制御情報多重信号を生成する手順は、実施の形態１に係る無線送信装置１００において制御情報多重信号を生成する手順（図７参照）と同様の基本的ステップを有しており、同一のステップには同一の符号を付し、その説明を省略する。なお、図１４に示す手順は、ＳＴ２０１０をさらに有する点において図７に示した手順と相違する。
【００６１】
ＳＴ２０１０において、制御部３０１は、再送ＵＥの数が所定の閾値以上であるか否かを判定する。ＳＴ２０１０において、再送ＵＥの数が所定の閾値以上であると判定される場合（ＳＴ２０１０：「ＹＥＳ」）、手順はＳＴ１０２０に移行し、一方、再送ＵＥの数が所定の閾値より小さいと判定される場合（ＳＴ２０１０：「ＮＯ」）、手順はＳＴ１０３０に移行する。
【００６２】
図１５は、本実施の形態に係る無線受信装置４００の構成を示すブロック図である。
【００６３】
無線受信装置４００は、実施の形態１に示した無線受信装置２００（図８参照）と同様の基本的構成を有しており、同一の構成要素には同一の符号を付し、その説明を省略する。なお、無線受信装置４００の識別部４０８および位置判定部４１０は、無線送信装置２００の識別部２０８および位置判定部２１０と処理の一部において相違し、それを示すために異なる符号を付す。
【００６４】
識別部４０８は、復号部２０７から入力される復号信号の先頭に配置されているグループＩＤから自端末が属しているグループＩＤであるか否か、また、復号信号が初回送信用か再送用かを識別し、さらにシグナリングフォーマットを識別する。シグナリングフォーマットを識別する具体的な方法としては、グループＩＤが再送用グループＩＤの場合には、復号信号にＡＣＫ／ＮＡＣＫが含まれていると識別し、それ以外のグループＩＤである場合には、復号信号にＡＣＫ／ＮＡＣＫが含まれていないと識別し、識別結果を分離部２０９および位置判定部４１０に出力する。
【００６５】
位置判定部４１０は、識別部４０８から入力される識別結果が初回送信用を示す場合、または識別部４０８から入力される識別情報が初回送信用シグナリングフォーマットと同一の再送用シグナリングフォーマットを示す場合（再送ＵＥの数が所定の閾値以上である場合）には、分離部２０９からＡＣＫ／ＮＡＣＫ多重信号が入力されず、予め決められた自端末Ｌ１／Ｌ２制御信号の配置位置を抽出部２１１に出力する。また、位置判定部４１０は、識別部４０８から入力される識別情報が初回送信用シグナリングフォーマットと異なる再送専用シグナリングフォーマットを示す場合（再送ＵＥの数が所定の閾値より小さい場合）には、分離部２０９から入力されるＡＣＫ／ＮＡＣＫ多重信号の各ビットの値に
基づき、複数ＵＥのＬ１／Ｌ２制御信号のうち自端末Ｌ１／Ｌ２制御信号が配置されている位置を判定し、得られる位置判定結果を抽出部２１１に出力する。
【００６６】
図１６は、本実施の形態に係るシグナリング方法の机上計算結果として、再送率に応じて必要となるＰＤＣＣＨ数の平均値を示す図である。
【００６７】
図１６においては、比較のために非特許文献１に係るシグナリング方法の机上計算結果として、再送率に応じて必要となるＰＤＣＣＨ数の平均値も同時に示している。図１６において、「■」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。
【００６８】
図１６に示すように、本実施の形態に係るＰＤＣＣＨ数の平均値は、常に非特許文献１に係るＰＤＣＣＨ数の平均値以下である。また、図９と図１６とを比べると分かるように、７５％以上の再送率においても、本実施の形態に係るＰＤＣＣＨ数の平均値は、実施の形態１に係るＰＤＣＣＨ数の平均値以下である。
【００６９】
このように、本実施の形態によれば、無線送信装置は、再送ＵＥの数が所定の閾値以上であるか否かを判定し、判定結果に基づき再送シグナリング方法を切り替えるため、単位時間当たりの制御信号のユーザー収容数をさらに向上できる。
【００７０】
なお、本実施の形態では、所定の閾値を「４」として説明したが、所定の閾値の値は１グループあたりに収容するＵＥ数に依存する値であり、「４」に限定されるものではない。例えば１グループ辺りに収容可能なＵＥ数が５である場合には、５を所定の閾値として設定する。
【００７１】
（実施の形態３）
図１７は、本発明の実施の形態３に係る無線送信装置５００の構成を示すブロック図である。無線送信装置５００は、実施の形態１に示した無線送信装置１００（図３参照）と同様の基本的構成を有しており、同一の構成要素には同一の符号を付し、その説明を省略する。
【００７２】
無線送信装置５００は、符号化部５０４および変調部５０６をさらに備える点において無線送信装置１００と相違する。なお、無線送信装置５００の多重部５０１、多重部５０２、およびマッピング部５０７は、無線送信装置１００の多重部１０１、多重部１０２、およびマッピング部１０７と処理の一部において相違し、それを示すために異なる符号を付す。
【００７３】
多重部５０１は、生成されたＡＣＫ／ＮＡＣＫ多重信号を多重部５０２ではなく、符号化部５０４に出力する点のみにおいて無線送信装置１００の多重部１０１と相違する。
【００７４】
多重部５０２は、初回送信シグナリングの場合でも再送シグナリングの場合でも両方とも、ＡＣＫ／ＮＡＣＫ多重信号を含めず、グループＩＤおよび複数ＵＥのＬ１／Ｌ２制御信号のみを用いて制御情報多重信号を生成する点において多重部１０２と相違する。
【００７５】
符号化部５０４は、多重部５０１から入力されるＡＣＫ／ＮＡＣＫ多重信号に対し、畳み込み符号、Reed Muller符号、ターボ符号化などの誤り訂正符号化を施し、得られる誤り訂正符号化信号を変調部５０６に出力する。なお、誤り訂正符号化を施さない構成も考えられる。
【００７６】
変調部５０６は、符号化部５０４から入力される誤り訂正符号化信号に対し、ＰＳＫ変調またはＱＡＭ変調などの変調処理を施し、得られる変調信号をマッピング部５０７に出力する。
【００７７】
マッピング部５０７は、変調部１０５，１０６それぞれから入力される変調信号を同一のＴＴＩ上の各ＰＤＣＣＨにマッピングするほか、さらに変調部５０６から入力されるＡＣＫ／ＮＡＣＫ多重信号を、変調部１０５，１０６から入力される変調信号がマッピングされたＰＤＣＣＨとは異なるＰＤＣＣＨにマッピングする。
【００７８】
図１８は、再送シグナリングの場合に多重部５０２で得られる制御情報多重信号を示す図である。図１８に示すように、多重部５０２は、再送シグナリングの場合においてＡＣＫ／ＮＡＣＫ多重信号を含めずグループＩＤおよび複数ＵＥのＬ１／Ｌ２制御信号のみを用いて制御情報多重信号を生成する。多重部５０２は、ＡＣＫ／ＮＡＣＫ多重信号を多重しないため、無線送信装置１００の多重部１０２よりも、もう１つの再送ＵＥのＬ１／Ｌ２制御信号をさらに多重することができる。すなわち、図５と図１８とを比較すると分かるように、実施の形態１に係る無線送信装置１００は、ＵＥ＃１、ＵＥ＃４、およびＵＥ＃５の３つの再送ＵＥのシグナリングが可能であるに対し、本実施の形態に係る無線送信装置５００においては、ＵＥ＃１、ＵＥ＃３、ＵＥ＃４、およびＵＥ＃５の４つの再送ＵＥのシグナリングが可能である。
【００７９】
図１９は、多重部５０２で得られる制御情報多重信号をマッピング部５０７によりＰＤＣＣＨにマッピングした結果を示す図である。
【００８０】
図１９に示すように再送シグナリングにおいてマッピング部５０７は、多重部５０１で生成されたＡＣＫ／ＮＡＣＫ多重信号を、多重部５０２で生成された制御情報多重信号がマッピングされたＰＤＣＣＨとは異なるＰＤＣＣＨにマッピングする。なお、図１９に示すように、多重部５０１で生成されたＡＣＫ／ＮＡＣＫ多重信号がマッピングされるＰＤＣＣＨと、多重部５０２で生成された制御情報多重信号がマッピングされるＰＤＣＣＨとは周波数的に異なることも可能である。
【００８１】
図２０は、本実施の形態に係る無線受信装置６００の構成を示すブロック図である。
【００８２】
無線受信装置６００は、実施の形態１に示した無線受信装置２００（図８参照）と同様の基本的構成を有しており、同一の構成要素には同一の符号を付し、その説明を省略する。
【００８３】
無線受信装置６００は、復調部６０６、復号部６０７をさらに具備する点において無線受信装置２００と相違する。なお、無線受信装置６００の逆マッピング部６０５、識別部６０８、分離部６０９、および位置判定部６１０は、無線送信装置２００の逆マッピング部２０５、識別部２０８、分離部２０９、および位置判定部２１０と処理の一部において相違し、それを示すために異なる符号を付す。
【００８４】
逆マッピング部６０５は、ＦＦＴ部２０４から入力される周波数領域信号を各ＰＤＣＣＨ毎に分離し、得られる各ＰＤＣＣＨ信号のうち、初回送信用ＰＤＣＣＨ信号、再送用ＰＤＣＣＨ信号を復調部２０６に出力し、ＡＣＫ／ＮＡＣＫ送信用ＰＤＣＣＨ信号を復調部６０６に出力する。
【００８５】
復調部６０６は、逆マッピング部６０５から入力されるＡＣＫ信号／ＮＡＣＫ多重信号に対して復調処理を行い、得られる復調信号を復号部６０７に出力する。
【００８６】
復号部６０７は、復調部６０６から入力される復調信号に対して、畳み込み復号、Reed
Muller復号、あるいはターボ復号等の誤り訂正を行い、得られる復号信号を位置判定部６１０に出力する。
【００８７】
識別部６０８は、復号部２０７から入力される復号信号のグループＩＤが自端末が属しているグループのグループＩＤであるか否かを識別し、自端末が属しているグループのグループＩＤである場合は、復号信号が初回送信用シグナリングか再送用シグナリングかを識別し位置判定部６１０に出力する。
【００８８】
分離部６０９は、復号部２０７から入力される復号信号からグループＩＤを分離し、復号部２０７から入力される復号信号を位置判定部６１０に出力する。
【００８９】
位置判定部６１０は、識別部６０８から入力される識別結果が初回送信用を示す場合には、復号部６０７からＡＣＫ／ＮＡＣＫ多重信号が入力されず、予め決められた自端末Ｌ１／Ｌ２制御信号の配置位置を抽出部２１１に出力する。また、位置判定部６１０は、識別部６０８から入力される識別結果が再送用を示す場合には、復号部６０７から入力されるＡＣＫ／ＮＡＣＫ多重信号の各ビットの値に基づき、複数ＵＥのＬ１／Ｌ２制御信号のうち自端末Ｌ１／Ｌ２制御信号の配置位置を判定し、得られる位置判定結果を抽出部２１１に出力する。
【００９０】
図２１は、本実施の形態に係るシグナリング方法の机上計算結果として、再送率に応じて必要となるＰＤＣＣＨ数の平均値を示す図である。
【００９１】
図２１においては、比較のために非特許文献１に係るシグナリング方法の机上計算結果として、再送率に応じて必要となるＰＤＣＣＨ数の平均値も同時に示している。図２１において、「×」で表されるグラフを用いて、本実施の形態に係るＰＤＣＣＨ数の平均値を示し、「○」で表されるグラフを用いて、非特許文献１に係るＰＤＣＣＨ数の平均値を示す。ここで、再送率とは送信信号が送信された場合に、受信エラーが発生して再送が必要となる確率である。
【００９２】
図２１に示すように、本実施の形態に係るＰＤＣＣＨ数の平均値は、常に非特許文献１に係るＰＤＣＣＨ数の平均値以下である。また、図９と図１６と図２１とを比べると分かるように、本実施の形態に係るＰＤＣＣＨ数の平均値は、実施の形態１または実施の形態２に係るＰＤＣＣＨ数の平均値以下である。
【００９３】
このように、本実施の形態によれば、無線送信装置は再送シグナリングにおいてＡＣＫ／ＮＡＣＫ多重信号を、再送ＵＥのＬ１／Ｌ２制御信号と異なるＰＤＣＣＨで送信するため、再送ＵＥのＬ１／Ｌ２制御信号を送信するＰＤＣＣＨを用いてより多くの再送ＵＥをシグナリングすることができ、単位時間当たりの制御信号のユーザー収容数をさらに向上できる。
【００９４】
以上、本発明の各実施の形態について説明した。
【００９５】
なお、上記各実施の形態では、再送ＵＥのＡＣＫ／ＮＡＣＫ多重信号を用いて各再送ＵＥを識別する場合を例にとって説明した。しかし、本発明はこれに限定されず、図２２に示すように、各再送ＵＥのＬ１／Ｌ２制御信号の前に当該再送ＵＥのＩＤを付加しても良い。図２２においては、「００００１」、「０１１０１」、「１１０１０」、「１１１１１」を用いて再送ＵＥのＩＤ「＃２」、「＃１４」、「＃２７」、「＃３２」それぞれを表している。これによって、再送ＵＥの数が所定の閾値以上である場合には、シグナリン
グオーバヘッドを低減することができる。例えば、１つのグループに４つのＵＥが含まれ、かつ、このような８つのグループに含まれる３２個のＵＥのＡＣＫ／ＮＡＣＫ信号を多重する場合、本実施の形態に示したように再送グループ毎に多重するのには３２ビットが必要となる。これに対し、８グループの３２個のＵＥのＡＣＫ／ＮＡＣＫ信号をまとめて多重する場合には、３２個のＵＥを５ビットのＩＤで表すことが可能である。そのため、図１０に示すように（５ビット／１ＵＥ）×（４ＵＥ）＝２０ビットが必要となり、１２ビットのシグナリングビットを低減することができる。
【００９６】
また、本発明に係る無線送信装置および無線通信方法は、上記各実施の形態に限定されず、種々変更して実施することが可能である。例えば、各実施の形態は、適宜組み合わせて実施することが可能である。本発明の実施の形態２および実施の形態３を組み合わせる場合、所定の閾値は「５」を用いることが可能である。
【００９７】
また、本発明に係る符号化部における誤り検出処理は、ＣＲＣ符号とＩＤとの排他的論理和であるＣＲＣ−ｍａｓｋを用いても良い。
【００９８】
また、本発明に係る再送シグナリングのグルーピング対象となるＵＥは、初回送信シグナリングに異なる送信タイミング（サブフレーム）にて送信された複数グループに属されたものでも良い。
【００９９】
また、本発明に係るＡＣＫ／ＮＡＣＫ信号はＨＩＣＨ（Hybrid ＡＲＱ Indicator チャネル）と呼ばれる場合がある。
【０１００】
また、上記実施の形態の説明に用いた制御情報多重信号、およびＡＣＫ／ＮＡＣＫ多重信号は、系列情報を時系列に配置したものあるが、無線リソース上への多重は、必ずしも時間多重である必要はなく周波数多重や符号多重でもよい。
【０１０１】
また、上記各実施の形態では、グループ数が２、１グループに属するＵＥ数が４、全ＵＥ数８の場合を中心に説明したが、当然本発明はこれに限定されるものではない。例えば初回送信用の３グループに属する１２ＵＥを再送時には１グループに纏めて制御情報を送信しても良い。また、例えば１グループに属するＵＥ数を５として、２グループに属する１０ＵＥを再送時に１グループにまとめて、制御情報を通知することも可能である。
【０１０２】
また、上記各実施の形態では、ＮＡＣＫ＝「１」、ＡＣＫ＝「０」として定義したがこれに限定されるものではなく、ＮＡＣＫ＝「０」、ＡＣＫ＝「１」と定義されていても良い。
【０１０３】
また、上記実施の形態の説明には、ＯＦＤＭ送受信装置を例に用いたがこれに限定されるものではない。
【０１０４】
また、上記実施の形態におけるＰＤＣＣＨは制御チャネルを表しているが、制御チャネルとしては必ずしもこれに限定されるものではない。例えば、３ＧＰＰ規格ではＨＳ−ＤＳＣＨに付随する（associated）チャネルであるＨＳ−ＳＣＣＨなどがある。
【０１０５】
また、上記実施の形態におけるグループＩＤはＧ−ＲＮＴＩ（Group-Radio Network Temporary ID）と呼ばれる場合がある。
【０１０６】
また、無線通信基地局装置はNode Bと称されることがあり、ＵＥは移動局装置と称されることがある。
【０１０７】
また、ここでは、本発明をハードウェアで構成する場合を例にとって説明したが、本発明をソフトウェアで実現することも可能である。例えば、本発明に係るパイロット生成方法のアルゴリズムをプログラミング言語によって記述し、このプログラムをメモリに記憶しておいて情報処理手段によって実行させることにより、本発明に係る無線送信装置と同様の機能を実現することができる。
【０１０８】
また、上記各実施の形態の説明に用いた各機能ブロックは、典型的には集積回路であるＬＳＩとして実現される。これらは個別に１チップ化されても良いし、一部または全てを含むように１チップ化されても良い。
【０１０９】
また、ここではＬＳＩとしたが、集積度の違いによって、ＩＣ、システムＬＳＩ、スーパーＬＳＩ、ウルトラＬＳＩ等と呼称されることもある。
【０１１０】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。
【０１１１】
さらに、半導体技術の進歩または派生する別技術により、ＬＳＩに置き換わる集積回路化の技術が登場すれば、当然、その技術を用いて機能ブロックの集積化を行っても良い。バイオ技術の適応等が可能性としてあり得る。
【０１１２】
２００７年３月１９日出願の特願２００７−０７１２６０の日本出願に含まれる明細書、図面および要約書の開示内容は、すべて本願に援用される。
【産業上の利用可能性】
【０１１３】
本発明に係る無線通信基地局装置は、複数のＵＥの制御信号を１つのグループにまとめてＵＥに通知するグループシグナリングを行なう移動体通信システムの技術において適用することが可能である。
【図面の簡単な説明】
【０１１４】
【図１】従来のグループシグナリングを説明するための図
【図２】従来のグループシグナリングにより生じるシグナリングリソースの浪費を説明するための図
【図３】本発明の実施の形態１に係る無線送信装置の構成を示すブロック図
【図４】本発明の実施の形態１に係る初回送信シグナリングの場合に多重部で得られる制御情報多重信号を示す図
【図５】本発明の実施の形態１に係る再送シグナリングの場合に多重部で得られる制御情報多重信号を示す図
【図６】本発明の実施の形態１に係る多重部で得られる制御情報多重信号をマッピング部によりＰＤＣＣＨにマッピングした結果を示す図
【図７】本発明の実施の形態１に係る無線送信装置において制御情報多重信号を生成する手順を示すフロー図
【図８】本発明の実施の形態１に係る無線受信装置の構成を示すブロック図
【図９】本発明の実施の形態１に係るシグナリング方法の机上計算結果として、再送率に応じて必要となるＰＤＣＣＨ数の平均値を示す図
【図１０】本発明の実施の形態１に係る再送用の新たなグループのグループＩＤとして、初回送信用の複数のグループＩＤの共通部分を用いる場合を示す図
【図１１】本発明の実施の形態１に係る再送シグナリング方法を用いて、８つの再送ＵＥをシグナリングする場合を例示する図
【図１２】本発明の実施の形態２に係る無線送信装置の構成を示すブロック図
【図１３】本発明の実施の形態２に係る再送シグナリングにおいて再送ＵＥの数が所定の閾値以上である場合に多重部で得られる制御情報多重信号を示す図
【図１４】本発明の実施の形態２に係る無線送信装置において制御情報多重信号を生成する手順を示すフロー図
【図１５】本発明の実施の形態２に係る無線受信装置の構成を示すブロック図
【図１６】本発明の実施の形態２に係るシグナリング方法の机上計算結果として、再送率に応じて必要となるＰＤＣＣＨ数の平均値を示す図
【図１７】本発明の実施の形態３に係る無線送信装置の構成を示すブロック図
【図１８】本発明の実施の形態３に係る再送シグナリングの場合に多重部で得られる制御情報多重信号を示す図
【図１９】本発明の実施の形態３に係る多重部で得られる制御情報多重信号をマッピング部によりＰＤＣＣＨにマッピングした結果を示す図
【図２０】本発明の実施の形態３に係る無線受信装置の構成を示すブロック図
【図２１】本発明の実施の形態３に係るシグナリング方法の机上計算結果として、再送率に応じて必要となるＰＤＣＣＨ数の平均値を示す図
【図２２】本発明に係る再送シグナリングにおける再送ＵＥ特定のための別の形態を示す図
【手続補正３】
【補正対象書類名】図面
【補正対象項目名】全図
【補正方法】変更
【補正の内容】
【図１】
2008114510.tif 000025
【図２】
2008114510.tif 000026
【図３】
2008114510.tif 000027
【図４】
2008114510.tif 000028
【図５】
2008114510.tif 000029
【図６】
2008114510.tif 000030
【図７】
2008114510.tif 000031
【図８】
2008114510.tif 000032
【図９】
2008114510.tif 000033
【図１０】
2008114510.tif 000034
【図１１】
2008114510.tif 000035
【図１２】
2008114510.tif 000036
【図１３】
2008114510.tif 000037
【図１４】
2008114510.tif 000038
【図１５】
2008114510.tif 000039
【図１６】
2008114510.tif 000040
【図１７】
2008114510.tif 000041
【図１８】
2008114510.tif 000042
【図１９】
2008114510.tif 000043
【図２０】
2008114510.tif 000044
【図２１】
2008114510.tif 000045
【図２２】
2008114510.tif 000046
【国際調査報告】
2008114510.tif 000047
2008114510.tif 000048